(57)【特許請求の範囲】
【請求項１】
ユーザ機器（ＵＥ）において、発展型マルチメディアブロードキャストマルチキャストサービス（ｅＭＢＭＳ）ブロードキャストサービスおよびユニキャスト上で利用可能である、関心のあるサービスの受信の継続性を維持する方法において、
前記ｅＭＢＭＳブロードキャストサービスをサポートする第１のマルチキャストブロードキャスト単一周波数ネットワーク（ＭＢＳＦＮ）エリア内のネットワークからｅＭＢＭＳ上の前記関心のあるサービスを受信することと；
前記ネットワークから少なくとも１つのＭＢＳＦＮ閾値を受信することと；
前記ネットワークから少なくとも１つのＭＢＳＦＮ測定値を受信することと；
前記少なくとも１つのＭＢＳＦＮ閾値と前記少なくとも１つのＭＢＳＦＮ測定値とに基づいて、第１のＭＢＳＦＮエリアからの前記ｅＭＢＭＳブロードキャストの受信から、ユニキャストを介する受信または、前記ｅＭＢＭＳブロードキャストサービスをサポートする第２のＭＢＳＦＮエリアを介する受信の一方にスイッチすることと
を備える方法。
【請求項２】
前記少なくとも１つのＭＢＳＦＮ閾値は、
ＭＢＳＦＮ受信機信号受信電力（ＭＢＳＦＮ  ＲＳＲＰ）閾値、ＭＢＳＦＮ参照信号受信品質（ＭＢＳＦＮ  ＲＳＲＱ）閾値、ＭＢＳＦＮ  信号対干渉プラス雑音比（ＭＢＳＦＮ  ＳＩＮＲ）閾値、およびＭＢＭＳのマルチキャストチャネルブロック誤り率（ＭＣＨ  ＢＬＥＲ）閾値の１つまたは複数を備え；
前記少なくとも１つのＭＢＳＦＮ測定値は、ＭＢＳＦＮ  ＲＳＲＰ測定値、ＭＢＳＦＮ  ＲＳＲＱ測定値、ＭＢＳＦＮ  ＳＩＮＲ測定値、およびＭＣＨ  ＢＬＥＲ測定値の１つまたは複数を備える、請求項１に記載の方法。
【請求項３】
前記少なくとも１つのＭＢＳＦＮ閾値はスイッチング準備閾値を備えるとともに、前記第１のＭＢＳＦＮエリアからの前記ｅＭＢＭＳブロードキャストの受信からスイッチすることは、前記少なくとも１つのＭＢＳＦＮ測定値が前記スイッチング準備閾値を満たし、前記ＵＥがＲＲＣ  ＩＤＬＥ状態にあるときに、ＲＲＣ  ＣＯＮＮＥＣＴＥＤ状態にスイッチすることを備える、請求項１に記載の方法。
【請求項４】
前記少なくとも１つのＭＢＳＦＮ閾値はスイッチング開始閾値をさらに備えるとともに、前記第１のＭＢＳＦＮエリアからの前記ｅＭＢＭＳブロードキャストの受信からスイッチすることは、前記少なくとも１つのＭＢＳＦＮ測定値が前記スイッチング開始閾値を満たすときに、前記ネットワークのネットワーク要素から、ユニキャストチャネル上で前記関心のあるサービスの配信を要求して、それによってユニキャストを介する受信にスイッチすることをさらに備える、請求項３に記載の方法。
【請求項５】
前記ネットワーク要素はアプリケーションサーバを備えるとともに、要求することは、前記アプリケーションサーバに指示を送ることを備える、請求項４に記載の方法。
【請求項６】
前記ネットワーク要素はＢＭ−ＳＣを備えるとともに、要求することは、前記関心のあるサービスに対応する一時的モバイルグループ識別（ＴＭＧＩ）のＵＲＬに接続することを備える、請求項４に記載の方法。
【請求項７】
前記ネットワーク要素はＭＢＭＳ−ＧＷを備えるとともに、要求することは、ＩＰマルチキャスト加入メッセージを前記ＭＢＭＳ−ＧＷに送ることを備える、請求項４に記載の方法。
【請求項８】
前記ＵＥがこの目的のための適当なＥＰＳベアラを有さない場合には、前記ｅＭＢＭＳブロードキャストサービスの送信のための専用ＥＰＳベアラを起動することをさらに備える、請求項７に記載の方法。
【請求項９】
前記ネットワークから、ＭＢＭＳ−ＧＷマルチキャストアドレスと、ＴＭＧＩの、関係する、汎用パケット無線サービス（ＧＰＲＳ）トンネリングプロトコル（ＧＴＰ）パラメータを受信することをさらに備える、請求項７に記載の方法。
【請求項１０】
前記第１のＭＢＳＦＮエリアからの前記ｅＭＢＭＳブロードキャストの受信からスイッチすることは、
前記ｅＭＢＭＳブロードキャストサービスをサポートする前記第２のＭＦＳＦＮエリア内のネットワークから、前記ＵＥにおける十分なｅＭＢＭＳカバレージを検出することと；
ユニキャストから、前記ｅＭＢＭＳブロードキャストサービスをサポートする前記第２のＭＢＳＦＮエリアを介するブロードキャスト受信にスイッチすることと
をさらに備える、請求項４に記載の方法。
【請求項１１】
前記第１のＭＢＳＦＮエリアからの前記ｅＭＢＭＳブロードキャストの受信からスイッチすることは、
前記第１のＭＢＳＦＮエリア内のサービングｅＮＢに、前記関心のあるサービスに対応するＴＭＧＩを含むＭＢＭＳ関心指示（ＭＩＩ）と、前記関心のあるサービスに対応するサービスエリア識別子（ＳＡＩ）リストの少なくとも一方を送ること
ここにおいて、前記ＵＥは、前記ＭＩＩと前記ＳＡＩリストの少なくとも一方に基づいて、前記ｅＭＢＭＳブロードキャストサービスをサポートするセルにハンドオーバされる、
をさらに備える、請求項３に記載の方法。
【請求項１２】
先行する請求項１−１１のいずれかに従って方法を実行するために適応しているユーザ機器（ＵＥ）。
【請求項１３】
ユーザ機器（ＵＥ）において、発展型マルチメディアブロードキャストマルチキャストサービス（ｅＭＢＭＳ）ブロードキャストサービスおよびユニキャスト上で利用可能である、関心のあるサービスの受信の継続性を維持する方法において、
前記ｅＭＢＭＳブロードキャストサービスをサポートする第１のマルチキャストブロードキャスト単一周波数ネットワーク（ＭＢＳＦＮ）エリア内のネットワークの第１の基地局における前記ＵＥから、少なくとも１つのパラメータを受信することと；
前記少なくとも１つのパラメータに基づいて、前記ＵＥが、前記第１のＭＢＳＦＮエリアからの前記ｅＭＢＭＳブロードキャストの受信から、ユニキャストを介する受信にスイッチすべきかどうかを決定することと；
ユニキャストを介する受信にスイッチするように前記ＵＥに指示することと
を備える方法。
【請求項１４】
ユニキャストチャネル上で、前記関心のあるサービスに対応するコンテンツを送信することと、および/または、
前記少なくとも１つのパラメータを送るように、前記ＵＥをトリガーする信号を送ることと、および/または、
前記信号を送る前に、前記ＵＥが接続状態にあることを検出することと、および/または、
前記少なくとも１つのパラメータを受信する前に、前記接続状態に入るように前記ＵＥをトリガーすることと、
をさらに備える、請求項１３に記載の方法。
【請求項１５】
先行する請求項１３−１４のいずれかに従って方法を実行するために適応している装置。
【発明の詳細な説明】
【技術分野】
【０００１】
[0001]本出願は、その全文が参照により本明細書に明確に組み込まれている、２０１３年１０月３０日に出願された「Ｓｅｒｖｉｃｅ  Ｃｏｎｔｉｎｕｉｔｙ  Ｆｏｒ  Ｇｒｏｕｐ  Ｃｏｍｍｕｎｉｃａｔｉｏｎｓ  Ｏｖｅｒ  Ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ」という名称のＰＣＴ国際出願番号第ＰＣＴ／ＣＮ２０１３／０８６２１６号の利益を主張する。
【背景技術】
【０００２】
[0002]本開示は、一般的には通信システムに関し、より具体的には、発展型マルチメディアブロードキャストマルチキャストサービス（ｅＭＢＭＳ：evolved multimedia broadcast multicast service）におけるグループ通信のためのサービス継続性に関する。
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標））によって公表されたユニバーサルモバイルテレコミュニケーションズシステム（ＵＭＴＳ）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]グループ通信などの、関心のあるサービスの継続性を維持するための方法、装置、およびコンピュータプログラム製品が開示される。一態様において、本装置はＵＥであってもよい。ＵＥは、ｅＭＢＭＳブロードキャストサービスおよびユニキャストを介して利用可能な、関心のあるサービスの受信の継続性を維持する。ＵＥは、ｅＭＢＭＳブロードキャストサービスをサポートする第１のＭＢＳＦＮエリア内のネットワークからｅＭＢＭＳ上で関心のあるサービスを受信する。ＵＥは、ネットワークから少なくとも１つのＭＢＳＦＮ閾値と、ネットワークから少なくとも１つのＭＢＳＦＮ測定値を受信する。ＵＥは、少なくとも１つのＭＢＳＦＮ閾値と少なくとも１つのＭＢＳＦＮ測定値とに基づいて、第１のＭＢＳＦＮエリアからのｅＭＢＭＳブロードキャストの受信から、ユニキャストを介する受信または、ｅＭＢＭＳブロードキャストサービスをサポートする第２のＭＢＳＦＮエリアを介する受信の一方にスイッチする。
【０００６】
[0006]別の態様においては、本装置は、ｅＭＢＭＳブロードキャストサービスをサポートする第１のＭＢＳＦＮエリア内のネットワークの一部であってもよい。たとえば、ネットワーク要素は、基地局であってもよい。基地局は、ＵＥから少なくとも１つのパラメータを受信し、少なくとも１つのパラメータに基づいて、ＵＥが、第１のＭＢＳＦＮエリアからのｅＭＢＭＳブロードキャストの受信から、ユニキャストを介する受信へとスイッチすべきかどうかを決定する。ＵＥがユニキャスト受信にスイッチすべきと決定すると、基地局は、ユニキャストを介する受信にスイッチするように、ＵＥに指示する。
【図面の簡単な説明】
【０００７】
【図１】[0007]ネットワークアーキテクチャの一例を示す図。
【図２】[0008]アクセスネットワークの一例を示す図。
【図３】[0009]ＬＴＥにおけるＤＬフレーム構造の一例を示す図。
【図４】[0010]ＬＴＥにおけるＵＬフレーム構造の一例を示す図。
【図５】[0011]ユーザプレーンおよび制御プレーンのための無線プロトコルアーキテクチャの一例を示す図。
【図６】[0012]アクセスネットワーク中の発展型ノードＢおよびユーザ機器の一例を示す図。
【図７Ａ】[0013]マルチキャストブロードキャスト単一周波数ネットワーク中の発展型マルチメディアブロードキャストマルチキャストサービスチャネル構成の一例を示す図。
【図７Ｂ】[0014]マルチキャストチャネルスケジューリング情報メディアアクセス制御制御要素のフォーマットを示す図。
【図８】[0015]グループ通信システムイネーブラアプリケーションサーバ（ＧＣＳＥ−ＡＳ）を含むネットワークアーキテクチャの例を示す図。
【図９Ａ】[0016]ｅＭＢＭＳセルと非ｅＭＢＭＳセルの両方に同一周波数が使用される、broadcast to broadcastシナリオの第１の場合を示す図。
【図９Ｂ】[0017]異なるｅＭＢＭＳサービスに同一周波数が使用される、broadcast-to-broadcastシナリオの第２の場合を示す図。
【図１０】[0018]ＵＥがｅＭＢＭＳカバレージから外に移動するときの、ＢＣ−ｔｏ−ＵＣサービス継続性に対するベースラインソリューションを示すコールフロー図。
【図１１】[0019]ｅＭＢＭＳカバレージから外に移動するときのサービス継続性を維持するためのメークビフォアブレイク（make-before-break）ＵＥ支援ネットワークベースソリューションを示すコールフロー図。
【図１２】[0020]ｅＭＢＭＳカバレージから外に移動するときのサービス継続性を維持するための、メークビフォアブレイクフルネットワークベースソリューションを示すコールフロー図。
【図１３】[0021]ＢＭ−ＳＣにアンカーを備えるｅＭＢＭＳカバレージから外に移動するときのサービス継続性を維持するためのメークビフォアブレイクソリューションを示すコールフロー図。
【図１４】[0022] ＵＥにおいて、ｅＭＢＭＳブロードキャストサービスおよびユニキャストを介して利用可能である関心のあるサービスの受信の継続性を維持する方法のフローチャート。
【図１５】[0023]図１４のフローチャートを実装する例示的な装置における異なるモジュール／手段／構成要素間のデータフローを示す、概念的データフロー図。
【図１６】[0024]図１４のフローチャートを実装する、処理システム装置を利用する装置のハードウェア実装の例を示す図。
【図１７】[0025]ＵＥにおいて、ｅＭＢＭＳブロードキャストサービスおよびユニキャストを介して利用可能である関心のあるサービスの受信の継続性を維持する方法のフローチャート。
【図１８】[0026]図１７のフローチャートを実装する例示的な装置における異なるモジュール／手段／構成要素間のデータフローを示す概念データフロー図。
【図１９】[0027]図１７のフローチャートを実装する処理システム装置を採用する装置のためのハードウェア実装形態の一例を示す図。
【発明を実施するための形態】
【０００８】
[0028]添付の図面に関して以下に記載する詳細な説明は、様々な構成を説明するものであり、本明細書で説明する概念が実施され得る唯一の構成を表すものではない。詳細な説明は、様々な概念の完全な理解をもたらす目的で、具体的な詳細を含んでいる。しかしながら、これらの概念はこれらの具体的な詳細なしに実施され得ることが、当業者には明らかであろう。いくつかの例では、そのような概念を不明瞭にしないように、よく知られている構造および構成要素がブロック図の形態で示される。
【０００９】
[0029]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１０】
[0030]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されたい。
【００１１】
[0031]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せも、コンピュータ可読媒体の範囲内に含まれるものとする。
【００１２】
[0032]図１は、ＬＴＥネットワークアーキテクチャ１００を示す図である。ＬＴＥネットワークアーキテクチャ１００は発展型パケットシステム（ＥＰＳ）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ）１０４と、発展型パケットコア（ＥＰＣ）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示されていない。図示のように、ＥＰＳはパケット交換サービスを提供するが、当業者なら容易に諒解するように、本開示全体にわたって提示される様々な概念は、回線交換サービスを提供するネットワークに拡張され得る。
【００１３】
[0033]Ｅ−ＵＴＲＡＮは、発展型ノードＢ（ｅＮＢ）１０６と、その他のｅＮＢ１０８とを含むとともに、マルチキャストコーディネーションエンティティ（ＭＣＥ）１２８を含んでもよい。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ）（ｅＭＢＭＳ）用の時間／周波数無線リソースを割り振り、ｅＭＢＭＳのための無線構成（たとえば、変調およびコーディング方式（ＭＣＳ））を決定する。ＭＣＥ１２８は、別個のエンティティであるか、またはｅＮＢ１０６の一部であってもよい。ｅＮＢ１０６は、基地局、ノードＢ、アクセスポイント、トランシーバ基地局、無線基地局、無線トランシーバ、トランシーバ機能、基本サービスセット（ＢＳＳ）、拡張サービスセット（ＥＳＳ）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ）フォン、ラップトップ、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0034]ｅＮＢ１０６はＥＰＣ１１０に接続される。ＥＰＣ１１０は、モビリティ管理エンティティ（ＭＭＥ）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ）１２６と、パケットデータネットワーク（ＰＤＮ）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８およびＢＭ−ＳＣ１２６は、ＩＰサービス１２２に接続される。ＩＰサービス１２２には、インターネット、イントラネット、ＩＰマルチメディアサブシステム（ＩＭＳ）、ＰＳストリーミングサービス（ＰＳＳ）、および／または他のＩＰサービスがあり得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１５】
[0035]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるために構成される。アクセスネットワーク２００のこの例では集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つまたは複数の（たとえば、３つの）セル（セクタとも呼ばれる）をサポートし得る。「セル」という用語は、ｅＮＢの最も小さいカバレージエリアを指すことがあり、および／またはｅＮＢサブシステムサービングは特定のカバレージエリアである。さらに、「ｅＮＢ」、「基地局」、および「セル」という用語は、本明細書では互換的に使用され得る。
【００１６】
[0036]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ）、ＴＤＭＡを採用するモバイル通信用グローバルシステム（ＧＳＭ（登録商標））、ならびに、ＯＦＤＭＡを採用する発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００１７】
[0037]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともにＵＥ２０６に到着し、これにより、ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１８】
[0038]空間多重化は、概して、チャネル状態が良いときに使用される。チャネル状態があまり好ましくないときは、送信エネルギーを１つまたは複数の方向に集中させるためにビームフォーミングが使用され得る。これは、複数のアンテナを介した送信のためにデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0039]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアにわたってデータを変調するスペクトル拡散技法である。サブキャリアは、正確な周波数で離間される。離間は、受信機がサブキャリアからデータを復元することを可能にする「直交性」を実現する。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ）を補償するために、ＳＣ−ＦＤＭＡをＤＦＴ拡散ＯＦＤＭ信号の形態で使用し得る。
【００２０】
[0040]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスに対して、リソースブロックは、合計８４のリソース要素に対して、周波数領域中に１２個の連続するサブキャリアと、時間領域中に７つの連続するＯＦＤＭシンボルとを収納する。拡張されたサイクリックプレフィックス（extended cyclic prefix）に対して、リソースブロックは、合計７２のリソース要素に対して、周波数領域に１２の連続するサブキャリアと、時間領域に６つの連続するＯＦＤＭシンボルとを収納する。Ｒ３０２、３０４として示されるリソース要素のいくつかはＤＬ基準信号（ＤＬ−ＲＳ）を含む。ＤＬ−ＲＳは、（共通ＲＳと呼ばれることもある）セル固有ＲＳ（ＣＲＳ）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２１】
[0041]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報の送信のためにＵＥに割り当てられ得る。データセクションは、制御セクション中に含まれないすべてのリソースブロックを含み得る。ＵＬフレーム構造は、単一のＵＥがデータセクション中の隣接サブキャリアのすべてを割り当てられることを可能にし得る、隣接サブキャリアを含むデータセクションを生じる。
【００２２】
[0042]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ）中で制御情報を送信し得る。ＵＥは、データセクション中の割り当てられたリソースブロック上の物理ＵＬ共有チャネル（ＰＵＳＣＨ）中でデータのみまたはデータと制御情報の両方を送信し得る。ＵＬ送信は、サブフレームの両方のスロットにわたり得、周波数上でホッピングし得る。
【００２３】
[0043]初期システムアクセスを実施し、物理ランダムアクセスチャネル（ＰＲＡＣＨ）４３０中でＵＬ同期を達成するために、リソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。ＰＲＡＣＨのために周波数ホッピングはない。ＰＲＡＣＨ試みは単一のサブフレーム（１ｍｓ）中でまたは少数の隣接サブフレームのシーケンス中で搬送され、ＵＥはフレーム（１０ｍｓ）ごとに単一のＰＲＡＣＨ試みのみを行うことができる。
【００２４】
[0044]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１、レイヤ２、およびレイヤ３という３つのレイヤとともに示されている。レイヤ１（Ｌ１レイヤ）は最下位レイヤであり、様々な物理レイヤ信号処理機能を実装する。Ｌ１レイヤは本明細書では物理レイヤ５０６と呼ばれる。レイヤ２（Ｌ２レイヤ）５０８は、物理レイヤ５０６の上にあり、物理レイヤ５０６を介したＵＥとｅＮＢとの間のリンクを担当する。
【００２５】
[0045]ユーザプレーンでは、Ｌ２レイヤ５０８は、ネットワーク側のｅＮＢにおいて終端される、メディアアクセス制御（ＭＡＣ）サブレイヤ５１０と、無線リンク制御（ＲＬＣ）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めて、Ｌ２レイヤ５０８の上にいくつかの上位レイヤを有し得る。
【００２６】
[0046]ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥのためのｅＮＢ間のハンドオーバサポートとをもたらす。ＲＬＣサブレイヤ５１２は、上位レイヤデータパケットのセグメンテーションおよびリアセンブリと、紛失データパケットの再送信と、ハイブリッド自動再送要求（ＨＡＲＱ）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０はまた、ＨＡＲＱ演算を担当する。
【００２７】
[0047]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００２８】
[0048]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ６５０への無線リソース割振りとを行う。コントローラ／プロセッサ６７５はまた、ＨＡＲＱ演算と、紛失パケットの再送信と、ＵＥ６５０へのシグナリングとを担当する。
【００２９】
[0049]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするために、コーディングとインターリービングとを含む。コーディングされ変調されたシンボルは、次いで並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３０】
[0050]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた空間ストリームを復元するために、情報に対して空間処理を実施し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟決定は、チャネル推定器６５８によって計算されるチャネル推定値に基づき得る。軟決定は、次いで、物理チャネル上でｅＮＢ６１０によって最初に送信されたデータと制御信号とを復元するために復号され、デインターリーブされる。データと制御信号とは、次いでコントローラ／プロセッサ６５９に与えられる。
【００３１】
[0051]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、次いで、Ｌ２レイヤの上のすべてのプロトコルレイヤを表すデータシンク６６２に与えられる。また、様々な制御信号が、Ｌ３処理のためにデータシンク６６２に与えられ得る。コントローラ／プロセッサ６５９はまた、ＨＡＲＱ演算をサポートするために肯定応答（ＡＣＫ）および／または否定応答（ＮＡＣＫ）プロトコルを使用する誤り検出を担当する。
【００３２】
[0052]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ演算と、紛失パケットの再送信と、ｅＮＢ６１０へのシグナリングとを担当する。
【００３３】
[0053]ｅＮＢ６１０によって送信される基準信号またはフィードバックからの、チャネル推定器６５８によって導出されるチャネル推定値は、適切なコーディングおよび変調方式を選択することと、空間処理を容易にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３４】
[0054]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、ＲＸプロセッサ６７０に情報を与える。ＲＸプロセッサ６７０はＬ１レイヤを実装し得る。
【００３５】
[0055]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ演算をサポートするためにＡＣＫおよび／またはＮＡＣＫプロトコルを使用する誤り検出を担当する。
【００３６】
[0056]図７Ａは、ＭＢＳＦＮにおける発展型ＭＢＭＳ（ｅＭＢＭＳ）チャネル構成の一例を示す図７５０である。セル７５２’中のｅＮＢ７５２は第１のＭＢＳＦＮエリアを形成し得、セル７５４’中のｅＮＢ７５４は第２のＭＢＳＦＮエリアを形成し得る。ｅＮＢ７５２、７５４はそれぞれ、他のＭＢＳＦＮエリア、たとえば、最高合計８つのＭＢＳＦＮエリアに関連付けられ得る。ＭＢＳＦＮエリア内のセルは予約済みセルを指定され得る。予約済みセルは、マルチキャスト／ブロードキャストコンテンツを与えないが、セル７５２’、７５４’に時間同期させられ、ＭＢＳＦＮエリアへの干渉を制限するために、ＭＢＳＦＮリソース上で制限電力を有し得る。ＭＢＳＦＮエリア中の各ｅＮＢは、同じｅＭＢＭＳ制御情報とデータとを同期的に送信する。各エリアは、ブロードキャストサービスと、マルチキャストサービスと、ユニキャストサービスとをサポートし得る。ユニキャストサービスは、特定のユーザを対象とするサービス、たとえば、音声通話である。マルチキャストサービスは、ユーザのグループによって受信され得るサービス、たとえば、サブスクリプションビデオサービスである。ブロードキャストサービスは、すべてのユーザによって受信され得るサービス、たとえば、ニュースブロードキャストである。
【００３７】
[0057]図７Ａを参照すると、第１のＭＢＳＦＮエリアは、特定のニュースブロードキャストをＵＥ７７０に与えることなどによって、第１のｅＭＢＭＳブロードキャストサービスをサポートし得る。第２のＭＢＳＦＮエリアは、異なるニュースブロードキャストをＵＥ７６０に与えることなどによって、第２のｅＭＢＭＳブロードキャストサービスをサポートし得る。各ＭＢＳＦＮエリアは、複数の物理マルチキャストチャネル（ＰＭＣＨ）（たとえば、１５個のＰＭＣＨ）をサポートする。各ＰＭＣＨはマルチキャストチャネル（ＭＣＨ）に対応する。各ＭＣＨは、複数（たとえば、２９個）のマルチキャスト論理チャネルを多重化することができる。各ＭＢＳＦＮエリアは１つのマルチキャスト制御チャネル（ＭＣＣＨ）を有し得る。したがって、１つのＭＣＨは、１つのＭＣＣＨと複数のマルチキャストトラフィックチャネル（ＭＴＣＨ）とを多重化し得、残りのＭＣＨは複数のＭＴＣＨを多重化し得る。
【００３８】
[0058]ＵＥは、ｅＭＢＭＳサービスアクセスの利用可能性と、対応するアクセス層構成を発見するためにＬＴＥセルにキャンプオンすることができる。第１のステップにおいて、ＵＥは、システム情報ブロック（ＳＩＢ）１３（ＳＩＢ１３）を取得し得る。第２のステップにおいて、ＳＩＢ１３に基づいて、ＵＥは、ＭＣＣＨ上でＭＢＳＦＮエリア構成メッセージを取得し得る。第３のステップにおいて、ＭＢＳＦＮエリア構成メッセージに基づいて、ＵＥは、ＭＣＨスケジューリング情報（ＭＳＩ）のＭＡＣ制御要素を取得し得る。ＳＩＢ１３は、（１）セルによってサポートされる各ＭＢＳＦＮエリアのＭＢＳＦＮエリア識別子と、（２）ＭＣＣＨ繰返し期間（たとえば、３２個、６４個、．．．、２５６個のフレーム）、ＭＣＣＨオフセット（たとえば、０個、１個、．．．、１０個のフレーム）、ＭＣＣＨ修正期間（たとえば、５１２個、１０２４個のフレーム）、シグナリング変調およびコーディング方式（ＭＣＳ）、繰返し期間とオフセットとによって示される無線フレームのどのサブフレームがＭＣＣＨを送信することができるかを示すサブフレーム割振り情報などのＭＣＣＨを取得するための情報と、（３）ＭＣＣＨ変更通知構成とを示し得る。ＭＢＳＦＮエリアごとに１つのＭＢＳＦＮエリア構成メッセージが存在する。ＭＢＳＦＮエリア構成メッセージは、（１）ＰＭＣＨ内の論理チャネル識別子によって識別される各ＭＴＣＨの一時的モバイルグループ識別情報（ＴＭＧＩ）および随意のセッション識別子と、（２）ＭＢＳＦＮエリアの各ＰＭＣＨを送信するための割り振られたリソース（すなわち、無線フレームおよびサブフレーム）およびそのエリア内のすべてのＰＭＣＨのための割り振られたリソースの割振り期間（たとえば、４個、８個、．．．、２５６個のフレーム）と、（３）ＭＳＩ  ＭＡＣ制御要素が送信されるＭＣＨスケジューリング期間（ＭＳＰ）（たとえば、８個、１６個、３２個、．．．、または１０２４個の無線フレーム）とを示し得る。
【００３９】
[0059]図７Ｂは、ＭＳＩ  ＭＡＣ制御要素のフォーマットを示す図７９０である。ＭＳＩ  ＭＡＣ制御要素は、ＭＳＰごとに１回送られ得る。ＭＳＩ  ＭＡＣ制御要素は、ＰＭＣＨの各スケジューリング期間の最初のサブフレーム中で送られ得る。ＭＳＩ  ＭＡＣ制御要素は、ＰＭＣＨ内の各ＭＴＣＨの停止フレームおよびサブフレームを示すことができる。ＭＢＳＦＮエリアごとにＰＭＣＨ当たり１つのＭＳＩが存在し得る。
【００４０】
[0060]図８は、グループ通信システムイネーブラアプリケーションサーバ（ＧＣＳＥ−ＡＳ）８０２を含む、ネットワークアーキテクチャの例を示す。ＧＣＳＥ−ＡＳ８０２は、Ｅ−ＵＴＲＡＮ上でのグループ通信サービスを提供するアプリケーションレイヤ機能性を可能にする３ＧＰＰフィーチャである。グループ通信サービスは、同一コンテンツを複数ユーザに、「グループ通信」を介して制御された方法で配信する、迅速で効率的なメカニズムを提供することが意図されている。グループ通信は、トランスミッタグループメンバからレシーバグループメンバへの通信に対応する。「トランスミッタグループメンバ」はＧＣＳＥグループのグループメンバであり、それはそのＧＣＳＥグループに対して、進行中または将来のグループ通信を送信するように認可されている。「レシーバグループメンバ」は、ＧＣＳＥグループのグループメンバである、それはそのＧＣＳＥグループの進行中または将来のグループ通信を受信することに関心を表明している。例として、グループ通信の概念は、それに限定はされないが、公衆安全組織用の古典的な地上移動無線（ＬＭＲ：Land Mobile Radio）システムのオペレーションに使用されてもよい。
【００４１】
[0061]グループ通信は、３つのサービス継続性シナリオを有してもよい。ブロードキャスト（ＢＣ）・ツウ・ユニキャスト（ＵＣ）シナリオと呼ばれる、第１のシナリオにおいては、ＵＥは、一時的モバイルグループ識別（ＴＭＧＩ）によって識別され得るグループ通信のブロードキャスト、たとえば、ｅＭＢＭＳのカバレージから外に移動する。このＢＣ−ｔｏ−ＵＣシナリオにおいては、ＵＥは、グループ通信を受信し続けるために、ユニキャスト、たとえば、ＥＰＳのベアラ（bearer）にスイッチされてもよい。
【００４２】
[0062]ＢＣ−ｔｏ−ＢＣシナリオと呼ばれる、第２のシナリオにおいては、ＵＥは、第１のｅＭＢＭＳセルから第２のｅＭＢＭＳセルへと移動する。このシナリオにおいて、グループ通信を受信し続けるために、ＵＥは、ｅＭＢＭＳをサポートする第１のＭＢＳＦＮエリアから、ｅＭＢＭＳをサポートする第２のＭＢＳＦＮエリアへとスイッチされてもよい。第１のｅＭＢＭＳセルおよび第２のｅＭＢＭＳセルは、同一のｅＭＢＭＳサービスエリアの一部であるか、またはそれらは、異なるｅＭＢＭＳサービスエリアの一部であってもよい。１つの可能なシナリオにおいては、グループコールのための同一のＴＭＧＩが、同一のＳＡＩによって識別される同一のＭＢＭＳサービスエリアに含まれる、ＭＢＳＦＮエリア１と、ＭＢＳＦＮエリア２の両方によって提供されてもよい。別の可能なシナリオにおいて、グループコールのための同一のＴＭＧＩは、異なるＳＡＩ、たとえば、ＳＡＩ１におけるＭＢＳＦＮ１、およびＳＡＩ２におけるＭＢＳＦＮ２によって識別される、同一のＭＢＭＳサービスエリアに含まれる、ＭＢＳＦＮエリア１と、ＭＢＳＦＮエリア２の両方によって提供されてもよい。さらに別の可能なシナリオにおいては、グループコールのための同一のＴＭＧＩは、異なるＳＡＩ、たとえばＳＡＩ１におけるＭＢＳＦＮ１およびＳＡＩ２におけるＭＢＳＦＮ２によって識別される、異なるＭＢＭＳサービスエリアに含まれる、ＭＢＳＦＮエリア１とＭＢＳＦＮエリア２の両方によって提供されてもよい。
【００４３】
[0063]図９Ａは、同一周波数Ｆ１がｅＭＢＭＳセル９０２と非ｅＭＢＭＳセル９０４の両方に使用される、ＢＣ−ｔｏ−ＢＣシナリオの第１の場合を示す。この場合には、ＵＥ９０６は、周波数Ｆ１でサービスエリア識別（ＳＡＩ）１に関連付けられたｅＭＢＭＳサービスを送信する第１のｅＭＢＭＳセル９０２から、同一周波数Ｆ１での非ｅＭＢＭＳサービスを送信する第２のセル９０４へ移動している。
【００４４】
[0064]図９Ｂは、異なるｅＭＢＭＳサービスに対して同一周波数が使用される、ＢＣ−ｔｏ−ＢＣシナリオの第２の場合を示す図９０８である。この場合には、ＵＥ９１０は、周波数Ｆ１でサービスエリア識別（ＳＡＩ）１に関連付けられたｅＭＢＭＳサービスを送信する第１のｅＭＢＭＳセル９１２から、同一周波数Ｆ１でサービスエリア識別（ＳＡＩ）２に関連付けられた別のｅＭＢＭＳサービスを送信する第２のｅＭＢＭＳセル９１４へ移動している。
【００４５】
[0065]ＵＣ−ｔｏ−ＢＣシナリオと呼ばれる、第３のシナリオにおいて、ＵＥは、グループ通信サービスのブロードキャストカバレージエリア中に移動している。このＵＣ−ｔｏ−ＢＣシナリオにおいて、ＵＥは、グループ通信を受信し続けるために、ブロードキャスト、たとえば、ｅＭＢＭＳのベアラへスイッチされてもよい。
【００４６】
[0066]本明細書には、グループ通信に対するＢＣ−ｔｏ−ＵＣサービス継続性の改善が開示される。グループ通信に対するＢＣ−ｔｏ−ＢＣサービス継続性の改善についても開示される。
【００４７】
[0067]ＢＣ−ｔｏ−ＵＣスイッチングシナリオ：
[0068]先述のように、ＢＣ−ｔｏ−ＵＣスイッチングシナリオにおいては、ＵＥは、ブロードキャスト、たとえばｅＭＢＭＳのカバレージから外に移動している。ＢＣ−ｔｏ−ＵＣシナリオにおいては、グループ通信を受信し続けるために、ＵＥは、ユニキャスト、たとえば、ＥＰＳのベアラにスイッチされてもよい。
【００４８】
[0069]図１０は、ＵＥ１００２が、グループ通信を提供しているｅＭＢＭＳカバレージエリアから外に移動しているときのＢＣ−ｔｏ−ＵＣサービス継続性に対するベースラインソリューションを示すコールフロー図１０００である。ステップ１において、グループ通信（ＧＣ）コールが進行している。ＵＥ１００２は、グループ通信をブロードキャストしているｅＭＢＭＳサービスをサポートするＭＢＳＦＮエリアのｅＮＢ１００４によるサービスを受けている。ステップ１の一部として、ＵＥ１００２は、グループ通信サービスデータ／媒体を、ｅＭＢＭＳベアラサービスを経由してコンテンツプロバイダ、たとえば、ＧＣＳＥ−ＡＳ１００６から受信する。このデータ／媒体は、ＧＣＳＥ−ＡＳ１００６から、ＢＭ−ＳＣ１０１２へ、ＭＢＭＳ−ＧＷ１０１４へ、ｅＮＢ１  １００４へのシグナリングを介して、ＵＥ１００２において受信される。
【００４９】
[0070]ステップ２において、メークビフォアブレイクスイッチング手順のために、ＵＥ１００２は、ＵＥが、グループ通信のｅＭＢＭＳサービスをサポートするＭＢＳＦＮエリアのカバレージエリアから外に移動しようとしていることを検出する。たとえば、ＵＥ１００２は、限界に近い、または許容できる閾値より低い、測定信号強度に基づいて、ｅＭＢＭＳカバレージが弱いことを検出してもよい。ＵＥ１００２は、以下の実装固有の方法の１つまたは複数によって、そのような移動を検出してもよい。ＵＥは、ＭＢＳＦＮに参加しているｅＮＢから受信されているＭＢＳＦＮ信号の強度が閾値の下まで低下したことを検出してもよい。たとえば、ＵＥは、ＭＢＳＦＮ受信機信号受信電力（ＭＢＳＦＮ  ＲＳＲＰ）閾値、ＭＢＳＦＮ参照信号受信品質（ＭＢＳＦＮ  ＲＳＲＱ）閾値、ＭＢＳＦＮ信号対干渉プラス雑音比（signal-to-interference-plus-noise ratio）（ＭＢＳＦＮ  ＳＩＮＲ）閾値、およびＭＢＭＳのマルチキャストチャネル（ＭＣＨ）ブロック誤り率（ＭＣＨ  ＢＬＥＲ）閾値の１つまたは複数を、ＭＣＣＨに指示されたＭＣＳ構成に基づいて決定してもよい。ＵＥ１００２は、ＵＥが、ｅＮＢ１  １００４から受信された信号に関連付けられたパケットデータ損失率が増加するか、またはある損失率を超えるのを検出するときに、そのような移動を検出してもよい。
【００５０】
[0071]ステップ３において、ＵＥがアイドル状態にあるときに、弱いｅＭＢＭＳカバレージを検出すると、ＵＥ１００２は、現行のサービングｅＮＢ（たとえば、ｅＮＢ１）とのＲＲＣ接続手順を実行することによって接続状態に入る。ステップ４において、ＵＥ１００２は、ＧＣＳＥ−ＡＳに対して、ＵＥがｅＭＢＭＳカバレージエリアの外に移動したことを指示する。この指示は、ｅＮＢ１  １００４およびＰ−ＧＷ／Ｓ−ＧＷ１０１６を介するアプリケーションシグナリングによって提供されてもよい。
【００５１】
[0072]ステップ５において、ＧＳＣＥ−ＡＳ１００６は、Ｐ−ＧＷ／Ｓ−ＧＷ１０１６およびｅＮＢ１  １００４を介するアプリケーションシグナリングによって、ＵＥ１００２にＡＣＫを送る。ステップ６において、ＵＥ１００２は、ｅＮＢ１  １００４を介するユニキャストベアラを経由して、ＧＣＳＥ−ＡＳ１００６から、ＧＣサービスデータ／媒体を受信する。
【００５２】
[0073]ステップ７において、ＵＥ１００２は、ｅＮＢ１  １００４からｅＮＢ２  １００８へとハンドオーバされる。しかしながら、ｅＮＢ２  １００８は、グループ通信をブロードキャストするｅＭＢＭＳサービスをサポートするＭＢＳＦＮエリアと関連しない。したがって、ステップ８においては、ＵＥ１００２は、ｅＮＢ２  １００８を介するユニキャストベアラを経由して、ＧＣＳＥ−ＡＳ１００６からＧＣサービスデータ／媒体を受信する。ステップ９において、ＵＥ１００２は、ｅＭＢＭＳサービスと関連付けられたＭＴＣＨのモニタリングを停止するが、ＭＢＭＳベアラの利用可能性を検出する目的で、ＳＩＢを受信し続ける。
【００５３】
[0074]図１０のベースラインソリューションのサービス継続性性能をさらに改善するために、いくつかの最適化を行い得る。１つの最適化においては、弱いｅＭＢＭＳカバレージを検出し、ユニキャストにスイッチすることを決定する際のＵＥ１００２による使用に対する追加の基準が、ＵＥへのネットワークによって設けられてもよい。別の最適化においては、ＵＥ１００２をブロードキャストからユニキャストにスイッチするという決定は、ｅＮＢによって行われる。
【００５４】
[0075]ＢＣ−ｔｏ−ＵＣスイッチング−ＵＥでの決定：
[0076]この最適化において、ネットワークは、以下の閾値パラメータの１つまたは複数を、スイッチング決定を行うための支援情報として、ＵＥ１００２に送ってもよい。これらの閾値は、図１０のベースラインアプローチのステップ２において使用される閾値に加えて使用される。一実装形態において、ＵＥ１００２は、ステップ２の閾値に基づく予備決定、および支援情報に基づく１つまたは複数の確認決定を行う。
【００５５】
[0077]スイッチング準備用のＭＢＳＦＮ  ＲＳＲＰ／ＲＳＲＱ／ＳＩＮＲ／ＢＬＥＲ閾値：
[0078]ＭＣＥ１０１０またはｅＮＢ１００４は、スイッチング準備の目的で、ＵＥ１００２に、ＭＢＳＦＮ  ＲＳＲＰ／ＲＳＲＱ／ＳＩＮＲ／ＢＬＥＲ閾値を送ってもよい。この最適化において、ＵＥ支援情報は、グループ通信のブロードキャスト受信モードからユニキャスト受信モードへのスイッチングを準備するためにＵＥ１００２によって使用される、第１のＭＢＳＦＮ  ＲＳＲＰ／ＲＳＲＱ閾値、第１のＭＢＳＦＮ  ＳＩＮＲ閾値、および第１のＭＣＨ  ＢＬＥＲ閾値または変調コーディング方式（ＭＣＳ）の１つまたは複数を含んでもよい。ＭＢＳＦＮ  ＲＳＲＰ／ＲＳＲＱ／ＳＩＮＲ測定値のいずれかが、それぞれの関連する第１の閾値より下に低下するとき、またはＭＣＨ  ＢＬＥＲ測定値が、それぞれの関連する第１の閾値を超えるときに、ＵＥ１００２は、ＵＥがＲＲＣ  ＩＤＬＥ状態にあるときに、（図１０のステップ３に示されるように）ＲＲＣ  ＣＯＮＮＥＣＴＥＤ状態に入る。
【００５６】
[0079]ＢＣ−ＵＣスイッチングを開始するためのＭＢＳＦＮ  ＲＳＲＰ／ＲＳＲＱ／ＳＩＮＲ／ＢＬＥＲ閾値：
[0080]ＭＣＥ１０１０またはｅＮＢ１００４は、ＭＢＳＦＮ  ＲＳＲＰ／ＲＳＲＱ／ＳＩＮＲ／ＢＬＥＲ閾値を、ＢＣ−ＵＣスイッチングを開始する目的で、ＵＥ１００２に送ってもよい。この最適化において、ＵＥ支援情報は、ＢＣ−ｔｏ−ＵＣスイッチングを開始するためにＵＥによって使用される、第２のＭＢＳＦＮ  ＲＳＲＰ／ＲＳＲＱ閾値、第２のＭＢＳＦＮ  ＳＩＮＲ閾値、および第２のＭＣＨ  ＢＬＥＲ閾値の１つまたは複数をさらに含んでもよい。これらの第２の閾値は、上記の第１の閾値に基づいて、ＵＥがＲＲＣ  ＣＯＮＮＥＣＴＥＤ状態に入った後に、使用されてもよい。第２のＭＢＳＦＮ  ＲＳＲＰ／ＲＳＲＱ閾値および第２のＭＢＳＦＮ  ＳＩＮＲ閾値は、それぞれの第１の閾値よりも小さくてもよいのに対して、第２のＭＣＨ  ＢＬＥＲ閾値は、それぞれの第１の閾値よりも大きくてもよい。
【００５７】
[0081]ＭＢＳＦＮ  ＲＳＲＰ／ＲＳＲＱ測定値またはＭＢＳＦＮ  ＳＩＮＲ測定値のいずれかが、それぞれの第２の閾値より下に低下するとき、またはＭＣＨ  ＢＬＥＲ測定値が第２の閾値を超えるときに、ＵＥ１００２は、アンカーノード、たとえば（図１０のステップ４に示されるように）ＧＣＳＥ−ＡＳ１００６に指示を送り、ユニキャストによるデータ／媒体配信を要求する。
【００５８】
[0082]上記のように、第２のＭＢＳＦＮ  ＲＳＲＰ／ＲＳＲＱ／ＳＩＮＲ閾値は、通常、第１の閾値よりも低く、第２のＭＣＨ  ＢＬＥＲ閾値は、通常、第１の閾値よりも高い。第１および第２の閾値の間のこれらの差異は、ＵＥ１００２が、ＵＣとＢＣの受信モード間でのピンポン動作（ping-ponging）を避けながら、スイッチングを行うのに、いくらかの保護時間を与えることができる。第１および第２の閾値は、ＭＢＳＦＮエリア当たりベース、セル当たりベース、またはＰＭＣＨ当たりベースとすることができる。
【００５９】
[0083]ＭＣＥ１０１０は、第１および第２のＭＢＳＦＮ  ＲＳＲＰ／ＲＳＲＱ／ＳＩＮＲ／ＢＬＥＲ閾値を決定し、それらをＭＢＳＦＮエリア内のすべてのｅＮＢ１００４に送ることができる。次いで、ｅＮＢは、ＵＥ１００２に閾値を送る。閾値は、ＭＣＣＨ上で、ＳＩＢの情報の一部として、またはＲＲＣ専用シグナリングを経由して送られ得る。ｅＮＢ１００４は、そのｅＮＢのローカルカバレージ状態により、閾値を変更してもよい。ＵＥまたはネットワークは、ＵＥへの閾値を指示するのに、信号対雑音（ＳＮＲ:signal-to-ratio）および、ＭＣＳが使用される場合には、ＭＣＳのマッピングテーブルを有することができる。
【００６０】
[0084]ｅＮＢにおける決定によるＢＣ−ｔｏ−ＵＣスイッチング：
[0085]図１０のベースラインソリューションにおいて、スイッチング決定は、ＵＥによって行われる。しかしながら、ｅＮＢは、グループ通信スイッチング決定を改善することのできる、追加の情報を有してもよい。たとえば、ｅＮＢは、計数結果、ＭＢＳＦＮおよび／またはユニキャスト信号強度の測定報告、およびＭＢＳＦＮカバレージエリア情報を有してもよい。したがって、以下に提示される最適化は、たとえば、ｅＮＢによってネットワークレベルにおいて部分的または完全に行われる、ＵＥグループ通信スイッチング決定を含む。
【００６１】
[0086]ｅＮＢは、ＵＥがＢＣからＵＣにスイッチするための指示／コマンドを送る：
[0087]図１１は、ＵＥがグループ通信のためのｅＭＢＭＳカバレージから外に移動するときのサービス継続性を維持するための、メークビフォアブレイクＵＥ支援ネットワークベースソリューションを示すコールフロー図１１００である。ＵＥ支援ソリューションにおいては、ｅＮＢは、ＵＥに対してＢＣ−ｔｏ−ＵＣ受信モードからのスイッチングを開始するように報知する。
【００６２】
[0088]ステップ１において、グループ通信コールは進行中である。ＵＥ１１０２は、グループ通信をブロードキャストするｅＭＢＭＳサービスをサポートするＭＢＳＦＮエリアのｅＮＢ１  １１０４によるサービスを受けている。ステップ１の一部として、ＵＥ１１０２は、コンテンツプロバイダ、たとえば、ＧＣＳＥ−ＡＳ１１０６からのグループ通信サービスデータ／媒体を、ｅＭＢＭＳベアラサービスを経由して受信する。データ／媒体は、ＧＣＳＥ−ＡＳ１１０６からＢＭ−ＳＣ１１１２へ、ＭＢＭＳ−ＧＷ１１１４へ、ｅＮＢ１  １１０４へのシグナリングを介して、ＵＥ１１０２において受信される。
【００６３】
[0089]ステップ２において、メークビフォアブレイクスイッチング手順のために、ＵＥ１１０２は、ＵＥが、グループ通信のｅＭＢＭＳブロードキャストサービスをサポートするＭＢＳＦＮカバレージエリアから外に移動しようとしていることを検出する。たとえば、ＵＥ１１０２は、ｅＭＢＭＳ信号が弱いことを検出してもよい。ＵＥ１１０２は、ＵＥが、以下の実装固有方法の１つまたは複数により、グループ通信のｅＭＢＭＳカバレージエリアから外に移動していることを検出してもよい。ＵＥ１１０２は、受信されているＭＢＳＦＮ信号の強度が弱くなり、閾値より下に低下することを検出してもよい。たとえば、ＵＥ１１０２は、スイッチング手順を開始するために、対応するＭＣＣＨに指示されているＭＣＳ構成に基づいて、ＭＢＳＦＮ  ＲＳＲＰ／ＲＳＲＱ／ＳＩＮＲ／ＢＬＥＲ閾値を決定してもよい。ＵＥ１１０２は、ｅＭＢＭＳグループ通信信号に関連付けられたパケットデータ損失率が閾値よりも上に増大することを検出することによって、カバレージエリアの外側に（または、カバレージエリアの境界において）移動していることを検出してもよい。
【００６４】
[0090]ステップ３において、ＵＥ１１０２がアイドル状態にあるときに、弱いｅＭＢＭＳカバレージを検出すると、ＵＥ１１０２は、サービングｅＮＢ１１０４（たとえば、ｅＮＢ１）とのＲＲＣ接続手順を実行することによって、接続状態に入る。
【００６５】
[0091]ステップ４．２において、ＵＥ１１０２は、サービングｅＮＢ１１０４への報告を自律的に送ってもよく、この報告は、ＭＢＭＳ関心指示（ＭＩＩ）、計数応答、ＭＢＳＦＮまたはユニキャスト測定報告を含んでもよい。代替的に、ステップ４．１において、ＵＥ１１０２は、ＵＥから受信されるＭＩＩに基づいて、計数応答、ＭＢＳＦＮまたはユニキャスト測定報告を送るようにＵＥをトリガーする、サービングｅＮＢ１  １１０４からの報告要求を受信してもよい。代替的に、ネットワーク、たとえば、ｅＮＢ１は、ＵＥがＲＲＣ  ＣＯＮＮＥＣＴＥＤ状態に入ったことをｅＮＢが検出すると、要求を送ることによって、ＭＩＩ、計数応答、ＭＢＳＦＮまたはユニキャスト測定を送るように、ＵＥ１１０４をトリガーしてもよい。
【００６６】
[0092]ステップ５において、ｅＮＢ１  １１０４は、ＵＥによって送られる報告に基づいて、ＵＥ１１０２がブロードキャストからユニキャストにスイッチすべきであることを決定する。たとえば、ＵＥ１１０２によって送信される情報に基づいて、ｅＮＢ１  １１０４は、ＵＥが、グループ通信をブロードキャストしているｅＭＢＭＳサービスをサポートするＭＢＳＦＮエリアの境界にあることを検出してもよい。ステップ６において、ｅＮＢ１  １１０４は、ＵＥ１１０２に対して、グループ通信サービス用のユニキャストチャネルを使用するように指示する。
【００６７】
[0093]ステップ７において、ＵＥ１１０２は、ＧＣＳＥ−ＡＳ１１０６に対して、ＵＥが、グループ通信のｅＭＢＭＳカバレージエリアの外に移動したことを指示する。この指示は、ｅＮＢ１  １１０４およびＰ−ＧＷ／Ｓ−ＧＷ１１１６を介するアプリケーションシグナリングを介して提供されてもよい。
【００６８】
[0094]ステップ８において、ＧＳＣＥ−ＡＳ１１０６は、Ｐ−ＧＷ／Ｓ−ＧＷ１１１６およびｅＮＢ１  １１０４を介するアプリケーションシグナリングによって、ＵＥ１１０２にＡＣＫを送る。ステップ９において、ＵＥ１１０２は、ｅＮＢ１  １１０４を介するユニキャストベアラを経由して、ＧＣＳＥ−ＡＳから、ＧＣサービスデータ／媒体を受信する。
【００６９】
[0095]ステップ１０において、ＵＥ１１０２は、ｅＮＢ１  １１０４からｅＮＢ１  １１０８へハンドオーバされる。しかしながら、ｅＮＢ２  １１０８は、ｅＭＢＭＳブロードキャストサービス上でグループ通信をサポートするＭＢＳＦＮエリアのｅＮＢではない。したがって、ステップ１１において、ＵＥ１１０２は、ｅＮＢ２  １１０８を介するユニキャストベアラを経由して、ＧＣＳＥ−ＡＳからＧＣサービスデータ／媒体を受信する。ステップ１２において、ＵＥ１１０８は、ｅＭＢＭＳを介して実施されるグループ通信に関連付けられたＭＴＣＨのモニタリングを停止し、ＳＩＢを受信し続ける。
【００７０】
[0096]図１２は、ＵＥがｅＭＢＭＳカバレージから外に移動するときの、サービス継続性を維持するための、メークビフォアブレイク、フルネットワークベースソリューションを示す、コールフロー図１２００である。
【００７１】
[0097]ステップ１において、ｅＭＢＭＳ上のグループ通信は進行中である。ＵＥ１２０２は、グループ通信をブロードキャストしているｅＭＢＭＳサービスをサポートするＭＢＳＦＮエリアのｅＮＢ１  １２０４によるサービスを受けている。ＵＥ１２０２は、ｅＭＢＭＳベアラサービスを経由して、コンテンツプロバイダ、たとえばＧＣＳＥ−ＡＳからグループ通信データ／媒体を受信する。データ／媒体は、ＧＣＳＥ−ＡＳ１００６から、ＢＭ−ＳＣ１０１２へ、ＭＢＭＳ−ＧＷ１０１４へ、ｅＮＢ１  １００４へのシグナリングを介して、ＵＥ１００２において受信される。
【００７２】
[0098]ステップ２において、ｅＮＢ１２０４は、接続状態に入るように、ＵＥ１２０２を含むＵＥをトリガーする。トリガリングは、たとえば、以下の内の１つまたは複数を含んでもよい：ＭＢＳＦＮエリアの境界におけるｅＮＢが、ＵＥに対して接続状態に入るように指示する、ＳＩＢを送る。ＭＢＳＦＮエリアの境界におけるｅＮＢが、ＭＣＣＨ上で計数要求または測定要求を送る。ｅＮＢが、ＵＥに対して、セルＩＤｘに位置するＵＥが接続状態に入るべきであることを指示するページングメッセージを送る。ｅＮＢが、ＵＥ履歴および／または、分かっている場合には、ＵＥの場所に基づいて、特定のＵＥにページングメッセージを送る。
【００７３】
[0099]任意選択のステップ３において、ＵＥ１２０２は、ＵＥからの受信されたＭＩＩに基づく、計数応答、ＭＢＳＦＮまたはユニキャスト測定報告を送るように、ＵＥをトリガーする、サービングｅＮＢ１  １２０４からの報告要求を受信してもよい。代替的に、ネットワーク、たとえば、ｅＮＢ１  １２０４は、ＵＥがＲＲＣ  ＣＯＮＮＥＣＴＥＤ状態に入ったことをｅＮＢが検出すると、要求を送ることによって、ＭＩＩ、計数応答、ＭＢＳＦＮまたはユニキャスト測定を送るように、ＵＥ１２０２をトリガーしてもよい
[00100]ステップ４において、ＵＥ１２０２は、自律的に、またはステップ３の報告要求に応答して、ＭＩＩ、計数応答、ＭＢＳＦＮ測定報告またはユニキャスト測定方向を含んでもよい、報告を送る。代替的に、ＵＥ１２０２
[00101]ステップ５において、サービングｅＮＢ１  １２０４は、ＵＥによって送られる報告に基づいて、ＵＥ１２０２が、グループ通信のブロードキャストからユニキャスト受信モードにスイッチするべきであることを決定する。たとえば、ＵＥ１２０２によって送信される情報に基づいて、サービングｅＮＢ１  １２０４は、ＵＥが、グループ通信をブロードキャストしているｅＭＢＭＳサービスをサポートするＭＢＳＦＮエリアの境界にあることを検出してもよい。ステップ６において、ｅＮＢ１  １２０４は、ＵＥ１２０２に対して、グループ通信サービス用のユニキャストチャネルを使用するように指示する。
【００７４】
[00102]ステップ７において、ＵＥ１２０２は、ＧＣＳＥ−ＡＳ１２０６に対して、ＵＥ１２０２が、グループ通信をブロードキャストするｅＭＢＭＳカバレージエリアの外に移動したことを指示する。この指示は、ｅＮＢ１  １００４およびＰ−ＧＷ／Ｓ−ＧＷ１０１６を介するアプリケーションシグナリングを介して提供されてもよい。
【００７５】
[00103]ステップ８において、ＧＳＣＥ−ＡＳ１２０６は、Ｐ−ＧＷ／Ｓ−ＧＷ１２１６およびｅＮＢ１  １２０４を介するアプリケーションシグナリングによって、ＵＥ１２０２にＡＣＫを送る。ステップ９において、ＵＥ１２０２は、ｅＮＢ１  １２０４を介するユニキャストベアラを経由して、ＧＣＳＥ−ＡＳから、ＧＣサービスデータ／媒体を受信する。
【００７６】
[00104]ステップ１０において、ＵＥ１２０２は、ｅＮＢ１  １２０４からｅＮＢ１  １２０８へハンドオフされる。しかしながら、ｅＮＢ２  １２０８は、グループ通信をブロードキャストするｅＭＢＭＳブロードキャストサービスをサポートするＭＢＳＦＮエリアのｅＮＢでなくてもよい。したがって、ステップ１１において、ＵＥ１２０２は、ｅＮＢ２  １２０８を介するユニキャストベアラを経由して、ＧＣＳＥ−ＡＳ１２０６からＧＣサービスデータ／媒体を受信する。ステップ１２において、ＵＥ１２０２は、グループ通信をブロードキャストするｅＭＢＭＳサービスに関連付けられた、対応するＭＴＣＨのモニタリングを停止し、ＳＩＢを受信し続ける。
【００７７】
[00105]ＧＣＳＥ−ＡＳ以外のネットワークエンティティにおけるアンカーによるＢＣ−ｔｏ−ＵＣスイッチング：
[00106]上記のＢＣ−ｔｏ−ＢＣ最適化において、ユーザプレーンスイッチングアンカーはＧＣＳＥ−ＡＳにあってもよい。以下に説明される最適化において、ＢＭ−ＳＣまたはＭＢＭＳ−ＧＷが、ＧＣＳＥ−ＡＳを簡略化するためにスイッチングアンカーであってもよい。「スイッチングアンカー」は、グループコールデータを送る、ｅＭＢＭＳベアラとユニキャストベアラの一方または両方の使用を認識している、ネットワークエンティティに対応する。ＵＥとのグループ通信のＢＣ−ｔｏ−ＵＣスイッチングが必要とされるとき、ＵＥは、ＢＭ−ＳＣに要求を送り、ユニキャストベアラを経由して、ＢＭ−ＳＣからデータ／媒体を受信する。これらの最適化において、既存のＢＭ−ＳＣベースＢＣ−ｔｏ−ＵＣフォールバックメカニズム（fallback mechanism）が、グループ通信用に再使用され得る。スイッチング決定手順は、図１１および１２の上記ＢＣ−ｔｏ−ＢＣ最適化のいずれかと同様であってもよい。
【００７８】
[00107]ＧＣＳＥ−ＡＳがスイッチングアンカーである場合において、ＧＣＳＥ−ＡＳは、グループコールデータを、ＢＭ−ＳＣとＰ−ＧＷのいずれか、または両方に送る。ＢＭ−ＳＣがスイッチングアンカーである場合には、ＢＭ−ＳＣが、ＧＣＳＥ−ＡＳからグループコールデータを受信する。ＢＭ−ＳＣは、ｅＭＢＭＳベアラまたはＰ−ＧＷを介して、あるいは両方を介してデータを送ることを決定する。ＢＭ−ＳＣは、アンカーとしての役割を果たすのに加えて、ユニキャストフォールバックサーバとしての役割も果たす。ＭＢＭＳ−ＧＷがスイッチングアンカーである場合には、ＢＭ−ＳＣが、ＧＣＳＥ−ＡＳからグループコールデータを受信する。ＭＢＭＳ−ＧＷは、ＢＭ−ＳＣからグループコールデータを受信する。ＭＢＭＳ−ＧＷは、マルチキャストＩＰを介してグループコールデータを送る。ｅＮＢは、マルチキャストグループに加入して、データを受信し、それをｅＭＢＭＳベアラを介して送り、それとともに／またはＵＥがマルチキャストグループに加入して、ユニキャストベアラを介してグループコールデータを受信する。
【００７９】
[00108]ＢＭ−ＳＣにおけるアンカーによるＢＣ−ｔｏ−ＵＣスイッチング：
[00109]図１３は、アンカーがＢＭ−ＳＣにあるときに、ＵＥがｅＭＢＭＳカバレージの外に移動するときのサービス継続性を維持するための、メークビフォアブレイクソリューションを示す、コールフロー図１３００である。
【００８０】
[00110]ステップ１において、ｅＭＢＭＳサービスを経由するグループ通信コールは進行中である。ＵＥ１３０２は、グループ通信をブロードキャストするｅＭＢＭＳサービスをサポートするＭＢＳＦＮエリアの、ｅＮＢ１  １３０４によるサービスを受けている。ＵＥ１３０２は、ｅＭＢＭＳベアラサービスを経由して、コンテンツプロバイダ、たとえば、ＧＣＳＥ−ＡＳ１３０６からグループ通信サービスデータ／媒体を受信する。データ／媒体は、ＧＣＳＥ−ＡＳ１３０６から、ＢＭ−ＳＣ１３０８へ、ＭＢＭＳ−ＧＷ１３１２へ、ｅＮＢ１  １３１２へのシグナリングを介して、ＵＥ１３０２において受信される。
【００８１】
[00111]ステップ２において、ＵＥ１３０２またはサービングｅＮＢ１  １３０４は、ＢＣからＵＣへグループ通信の受信モードをスイッチすることを決定する。スイッチング決定手続きは、上記の最適化のいずれかに従って行われてもよい。たとえば、決定は、図１０について説明されたように、完全にＵＥベースであってもよく、また場合によっては、やはり説明された支援情報の１つまたは複数を用いてもよい。決定は、図１１について説明されたように、ＵＥからの支援付きのネットワークベースであってもよく、または図１２について説明されたように、完全にネットワークベースであってもよい。
【００８２】
[00112]ステップ３において、図１０のステップ４と、図１１および１２のステップ７とに示されるように、ＧＣＳＥ−ＡＳ１３０６に指示を送る代わりに、ＵＥ１３０２は、グループ通信をブロードキャストするｅＭＢＭＳサービスのＴＭＧＩに関連付けられたＵＲＬに接続する。ｅＮＢ１  １３０４およびＰ−ＧＷ／Ｓ−ＧＷ１３１４を介して、接続が行われてもよい。ＵＲＬは、ＢＭ−ＳＣ１３０８へのｅＭＢＭＳ登録中に抽出されてもよい。ＵＥ１３０２は、データ／媒体を搬送するのに専用ＥＰＳベアラを起動させてもよい。ステップ４において、ＢＭ−ＳＣ１３０８は、Ｐ−ＧＷ／Ｓ−ＧＷ１３１４およびｅＮＢ１  １３０４を介するシグナリングを経由して、要求に肯定応答する。
【００８３】
[00113]ステップ５において、データ／媒体は、ユニキャスト上でＢＭ−ＳＣ１３０８からＵＥ１３０２へ送られる。ステップ６において、ＵＥ１３０２は、ｅＮＢ１  １３０４からｅＮＢ２  １３１０へとハンドオーバされる。ステップ７において、ＵＥ１３０２は、ｅＮＢ２  １３１０を介するユニキャストベアラを経由して、ＢＭ−ＳＣ１３０８からＧＣサービスデータ／媒体を受信する。ステップ８において、ＵＥ１３０２は、ｅＭＢＭＳサービスに関連付けられたＭＴＣＨのモニタリングを停止するが、ＳＩＢを受信し続ける。
【００８４】
[00114]別の最適化においては、ＵＥは、ＭＢＭＳ−ＧＷから直接、データ／媒体を受信するための、Ｍ１インターフェースプロトコルをサポートするように強化されてもよい。
【００８５】
[00115]ＭＢＭＳ−ＧＷにおけるアンカーによるＢＣ−ｔｏ−ＵＣスイッチング：
[00116]図８を参照すると、この最適化においては、ＵＥ８０４は、汎用パケット無線サービス（ＧＰＲＳ）トンネリングプロトコル（ＧＴＰ）およびＳＹＮＣプロトコルを含む、Ｍ１インターフェース８０６をサポートするように強化されている。ＢＣ−ｔｏ−ＵＣスイッチングが必要とされるとき、ＵＥ８０４は、必要とされる場合には、データ／媒体送信用の専用ＥＰＳベアラを起動し、ＩＰｖ４  ＩＧＭＰ  ＪｏｉｎメッセージまたはＩＰｖ６  ＭＬＤメッセージをＭＢＭＳ−ＧＷ８０８へ送る。次いで、ＭＢＭＳ−ＧＷ８０８は、Ｍ１プロトコルに続いて、データ／媒体パケットをＵＥ８０４に送る。ＭＢＭＳ−ＧＷ８０８上のＴＭＧＩのマルチキャストＩＰアドレスは、ＭＣＣＨにおけるＵＥ８０４に送られてもよい。ＭＢＭＳ−ＧＷ８０８が、ＵＥ８０４からＩＰマルチキャスト要求を安全に受信するために、セキュリティメカニズムが提供される。
【００８６】
[00117]ＢＣ−ｔｏ−ＢＣスイッチングシナリオ：
[00118]図９Ｂを参照して先述されたように、ＢＣ−ｔｏ−ＢＣシナリオにおいては、ＵＥは、第１のｅＭＢＭＳセルから第２のｅＭＢＭＳセルに移動してもよい。第１のｅＭＢＭＳセルおよび第２のｅＭＢＭＳセルは、同一のｅＭＢＭＳサービスエリアの一部であるか、または異なるｅＭＢＭＳサービスエリアの一部であってもよい。１つの可能なシナリオにおいては、グループコール用の同一のＴＭＧＩがＭＢＳＦＮエリア１とＭＢＳＦＮエリア２の両方によって提供され、これらのエリアは、同一のＳＡＩによって識別される同一のＭＢＭＳサービスエリアに含まれる。別の可能なシナリオにおいては、グループコール用の同一のＴＭＧＩが、ＭＢＳＦＮエリア１とＭＢＳＦＮエリア２の両方によって提供され、これらのエリアは、異なるＳＡＩ、たとえば、ＳＡＩ１におけるＭＢＳＦＮ１、およびＳＡＩ２におけるＭＢＳＦＮ２によって識別される同一のＭＢＭＳサービスエリアに含まれる。さらに別の可能なシナリオにおいては、グループコール用の同一のＴＭＧＩが、ＭＢＳＦＮエリア１とＭＢＳＦＮエリア２の両方によって提供され、これらのエリアは、異なるＳＡＩ、たとえば、ＳＡＩ１におけるＭＢＳＦＮ１、およびＳＡＩ２におけるＭＢＳＦＮ２によって識別される、異なるＭＢＭＳサービスエリアに含まれる。
【００８７】
[00119]異なるＭＢＳＦＮエリアにわたるＢＣ−ｔｏ−ＢＣ：
[00120]ＵＥが、関心のあるｅＭＢＭＳサービスをサポートする第１のＭＢＳＦＮエリア１から、やはり関心のあるサービスをサポートする第２のＭＢＳＦＮエリア２へ移動するとき、ＵＥは、別のＭＢＳＦＮエリアに移動する前に、上記のＢＣ−ｔｏ−ＵＣ手順のいずれかを使用して、最初にユニキャストにスイッチしてもよい。ＵＥが第２のＭＢＳＦＮエリア２に完全に入ると、ＵＥは、ブロードキャストにスイッチして戻ってもよい。この手順は、１つのＭＢＳＦＮエリアから別のＢＳＦＮエリアへのシームレスな移行を可能にする。
【００８８】
[00121]ネイバーセルが関心のあるＭＢＭＳサービスをサポートしない：
[00122]ＳＩＢ１５は、周波数レベル情報だけをＵＥに提供する。同一の周波数が、図９Ａおよび９Ｂに示されるような、異なる目的に使用されるときに、ＳＩＢ１５は、ＵＥが、ＵＥの関心のあるサービスをサポートするセルを選択するのに十分な情報を提供しない。したがって、アイドルモードのＵＥは、その所望のＴＭＧＩを有さないセルを再選択してもよい。しかしながら、サービングｅＮＢは、各ネイバーセルのサービスを知っている。したがって、図９Ａおよび９Ｂにおいて示されているＢＣ−ｔｏ−ＢＣスイッチングの２つの特殊な場合に対しては、ＭＣＥ／ｅＮＢは、ＭＢＳＦＮ  ＲＳＲＰ／ＲＳＲＱ／ＳＩＮＲ／ＢＬＥＲ閾値をＵＥに送ってもよい。ＭＢＳＦＮ  ＲＳＲＰ／ＲＳＲＱ／ＳＩＮＲが、ｅＮＢ／ＭＣＥから受信された閾値より下であることをＵＥが検出するとき、ＵＥは、ＲＲＣ  ＣＯＮＮＥＣＴＥＤモードに入る。次いで、ＵＥは、関心のあるサービスに対応するＴＭＧＩ（またはＴＭＧＩリスト）パラメータと供に、ＭＢＭＳ関心指示を、サービングｅＮＢに送る。ＭＢＭＳ関心指示に含まれるＴＭＧＩパラメータと、隣接するセルによってサポートされるサービスについてのサービングｅＮＢの知識とに基づいて、サービングｅＮＢは、ＴＭＧＩをサポートするセルにＵＥをハンドオーバする。
【００８９】
[00123]図１４は、ＵＥにおける関心のあるサービスの受信の継続性を維持する方法のフローチャートであり、ここにおいて、関心のあるサービスは、ｅＭＢＭＳブロードキャストサービスおよびユニキャストを介して利用可能である。この方法は、ＵＥによって実行されてもよい。ステップ１４０２において、ＵＥは、ｅＭＢＭＳブロードキャストサービスをサポートする第１のＭＢＳＦＮエリア内のネットワークから、ｅＭＢＭＳ上で関心のあるサービスを受信する。
【００９０】
[00124]ステップ１４０４において、ＵＥは、ネットワークから少なくとも１つのＭＢＳＦＮ閾値を受信する。
【００９１】
[00125]ステップ１４０６において、ＵＥは、ネットワークから少なくとも１つのＭＢＳＦＮ測定値を受信する。
【００９２】
[00126]ステップ１４０６において、ＵＥは、第１のＭＢＳＦＮエリアからのｅＭＢＭＳブロードキャストの受信から、ユニキャストを介する受信、またはｅＭＢＭＳブロードキャストサービスをサポートする第２のＭＢＳＦＮエリアを介する受信の一方にスイッチする。スイッチングは、図１０、１１、１２および１３のコールフロー図のいずれかに従って実行されてもよい。スイッチングは、少なくとも１つのＭＢＳＦＮ閾値と少なくとも１つのＭＢＳＦＮ測定値とに基づいてもよい。少なくとも１つのＭＢＳＦＮ閾値は、ＭＢＳＦＮ  ＲＳＲＰ閾値、ＭＢＳＦＮ  ＲＳＲＱ閾値、ＭＢＳＦＮ  ＳＩＮＲ閾値、およびＭＣＨ  ＢＬＥＲ閾値の１つまたは複数を含んでもよい。少なくとも１つのＭＢＳＦＮ測定値は、ＭＢＳＦＮ  ＲＳＲＰ測定値、ＭＢＳＦＮ  ＲＳＲＱ測定値、ＭＢＳＦＮ  ＳＩＮＲ測定値、およびＭＣＨ  ＢＬＥＲ測定値の１つまたは複数を含んでもよい。
【００９３】
[00127]ＢＣ−ｔｏ−ＵＣスイッチングシナリオにおいて、第１のＭＢＳＦＮ閾値は、スイッチング準備（switching-preparation）閾値と対応してもよい。この場合には、第１のＭＢＳＦＮエリアからのｅＭＢＭＳブロードキャストの受信からスイッチすることは、少なくとも１つのＭＢＳＦＮ測定値がスイッチング準備閾値を満たし、ＵＥがＲＲＣ  ＩＤＬＥ状態にあるときに、ＵＥがＲＲＣ  ＣＯＮＮＥＣＴＥＤ状態にスイッチすることを含む。
【００９４】
[00128]第２のＭＢＳＦＮ閾値は、スイッチング開始閾値と対応してもよい。この場合には、第１のＭＢＳＦＮエリアからのｅＭＢＭＳブロードキャストの受信からスイッチすることは、ＲＲＣ  ＣＯＮＮＥＣＴＥＤ状態へのスイッチングの後に、少なくとも１つのＭＢＳＦＮ測定値がスイッチング開始閾値を満たすときに、ネットワークのネットワーク要素から、ユニキャストチャネル上で関心のあるサービスの配信を要求することをさらに含む。ネットワーク要素は、アプリケーションサーバ、ＢＭ−ＳＣまたはＭＢＭＳ−ＧＷを含んでもよい。アプリケーションサーバの場合には、関心のあるサービスの配信は、アプリケーションサーバに指示を送ることによって要求され得る。ＢＭ−ＳＣに対しては、関心のあるサービスの配信は、関心のあるサービスに対応するＴＭＧＩのＵＲＬに接続することによって要求され得る。
【００９５】
[00129]ＭＢＭＳ−ＧＷに対しては、関心のあるサービスの配信は、ＭＢＭＳ−ＧＷにＩＰマルチキャスト加入メッセージを送ることによって要求され得る。さらに、ＭＢＭＳ−ＧＷの場合には、ＵＥがこの目的に対して適当なＥＰＳベアラを有さない場合には、専用ＥＰＳベアラが、ｅＭＢＭＳブロードキャストサービスの送信のために起動され得る。また、ＵＥは、ネットワークから、ＭＢＭＳ−ＧＷマルチキャストアドレスおよびＴＭＧＩの関係するＧＴＰパラメータを受信し得る。ＵＥからＩＰマルチキャスト加入メッセージを受け付けるために、ＭＢＭＳ−ＧＷに対して、セキュリティメカニズムが実装されてもよい。
【００９６】
[00130]ＵＥが１つのＭＢＳＦＮエリアから、関心のあるサービスを提供する別のＭＢＳＦＮエリアへ移動する、ＢＣ−ｔｏ−ＢＣスイッチングシナリオにおいては、ＵＥは、他方のＭＢＳＦＮエリアに移動する前に、ユニキャストにスイッチしてもよい。ユニキャストへのスイッチは、図１０、１１、１２および１３のコールフロー図のいずれかに従って実行され得る。この場合に、第１のＭＢＳＦＮエリアからのｅＭＢＭＳブロードキャストの受信からのスイッチングは、ＭＢＳＦＮ測定値が、スイッチング準備閾値とスイッチング開始閾値の両方を満たすときには、ネットワーク要素からユニキャストチャネル上で関心のあるサービスの配信を要求することを含んでもよい。ユニキャストへのスイッチングの後で、この方法は、ｅＭＢＭＳブロードキャストサービスをサポートする第２のＭＦＳＦＮエリア内のネットワークから、ＵＥにおける、十分なｅＭＢＭＳカバレージを検出することをさらに含む。十分なｅＭＢＭＳカバレージの検出は、ＭＢＳＦＮ  ＲＳＲＰ、ＭＢＳＦＮ  ＲＳＲＱ、およびＭＣＨ  ＢＬＥＲなどのＭＢＳＦＮ測定値、またはネットワークからの事前設定（pre-configuration）もしくはシグナリングを介して提供される、ＭＢＭＳカバレージの地理的境界などの、ＭＢＭＳカバレージエリア情報に基づいてもよい。十分なｅＭＢＭＳカバレージが検出されると、ＵＥは、ユニキャストから、ｅＭＢＭＳブロードキャストサービスをサポートする第２のＭＢＳＦＮエリアを介するブロードキャスト受信へとスイッチする。
【００９７】
[00131]ネイバーセルが関心のあるサービスのｅＭＢＭＳブロードキャストをサポートしない、別のＢＣ−ｔｏ−ＢＣシナリオにおいては、ＭＢＳＦＮ測定値がスイッチング準部閾値を満たすとともに、ＵＥがＲＲＣ  ＩＤＬＥ状態にあるときに、ＵＥは、ＲＲＣ  ＣＯＮＮＥＣＴＥＤ状態にスイッチしてもよい。この場合のスイッチング準備閾値は、ＢＣ−ｔｏ−ＵＣスイッチングについて上述されたスイッチング準備閾値に対応してもよい。次いで、ＵＥは、第１のＭＢＳＦＮエリア内のサービングｅＮＢへ、関心のあるサービスに対応するＴＭＧＩを含むＭＢＭＳ関心指示、および／または関心のあるサービスに対応するＳＡＩリストの少なくとも一方を送ってもよい。ＵＥによって送られた情報に基づいて、サービングｅＮＢは、第２のＭＢＳＦＮエリア内の隣接するセルを決定し、ＵＥを、関心のあるサービスの継続する受信のために、ＵＥをハンドオーバする。ＵＥは、ｅＮＢから受信される信号に基づいて、隣接するセルへのハンドオーバを実行する。
【００９８】
[00132]図１５は、ｅＭＢＭＳブロードキャストサービスおよびユニキャストを介して利用可能な関心のあるサービスの受信の継続性を維持する、例示的な装置１５０２における、異なるモジュール／手段／構成要素間のデータフローを示す、概念的なデータフロー図１５００を示す。装置はＵＥであってもよい。装置１５０２は、受信モジュール１５０４、ＭＢＳＦＮ閾値モジュール１５０８、およびＭＢＳＦＮ測定モジュール１５１０、スイッチモジュール１５１２ならびに送信モジュール１５１４を含む。
【００９９】
[00133]受信モジュール１５０４は、関心のあるサービスをＵＥにブロードキャストしている、ｅＭＢＭＳブロードキャストサービスをサポートする第１のＭＦＳＦＮエリア内のネットワークの、ネットワーク要素１５５０、たとえば、基地局から信号を受信する。この信号は、関心のあるサービス、ＭＢＳＦＮ閾値、ＭＢＳＦＮ測定値に関係するｅＭＢＭＳブロードキャストコンテンツの１つまたは複数に対応するか、またはそれに関係する情報を提供してもよい。受信モジュール１５０４は、ＭＢＳＦＮ閾値信号をＭＢＳＦＮ閾値モジュール１５０８に供給するとともに、ＭＢＳＦＮ測定値信号をＭＢＳＦＮ測定値モジュール１５１０に供給する。
【０１００】
[00134]ＭＢＳＦＮ閾値モジュール１５０８は、受信された閾値信号を処理し、閾値をスイッチモジュール１５１２に供給する。同様に、ＭＢＳＦＮ測定モジュール１５１０は、ＭＢＳＦＮ測定信号を処理し、測定値をスイッチモジュール１５１２に供給する。スイッチモジュール１５１２は、少なくとも１つのＭＢＳＦＮ閾値と少なくとも１つのＭＢＳＦＮ測定値とに基づいて、第１のＭＢＳＦＮエリアからのｅＭＢＭＳブロードキャストの受信から、ユニキャストを介する受信、またはｅＭＢＭＳブロードキャストサービスをサポートする第２のＭＢＳＦＮエリアを介する受信の一方へとスイッチする。送信モジュール１５１４は、受信におけるスイッチングに対応して、ネットワーク要素１５５０へ信号を出力してもよい。たとえば、その信号は、ブローキャストによる受信からユニキャストによる受信へのスイッチング、または第１のＭＢＳＦＮエリアを介するブロードキャストによる受信から、第２のＭＢＳＦＮエリアを介するブロードキャストによる受信へのスイッチング、または現行サービングセルを介するブロードキャストによる受信から、隣接するセルを介するブロードキャストによる受信へのスイッチングの実行を開始する、および／またはそのための情報を含んでもよい。
【０１０１】
[00135]装置は、前述の図１０のコールフロー図および図１４のフローチャートにおける、アルゴリズムのステップを実行する、追加のモジュールを含んでもよい。そのようなものとして、前述の図１０のコールフロー図および図１４のフローチャートにおけるステップは、モジュールによって実行されてもよく、装置は、それらのモジュールの１つまたは複数を含んでもよい。モジュールは、特に規定のプロセス／アルゴリズムを実施するように構成されるか、規定のプロセス／アルゴリズムを実行するように構成されたプロセッサによって実装されるか、プロセッサによって実装されるようにコンピュータ可読媒体内部に格納されるか、またはそれらを組み合わせた、１つまたは複数のハードウェア構成要素であってもよい。
【０１０２】
[00136]図１６は、処理システム１６１４を利用する装置１５０２’用のハードウェア実装の例を示す図１３００である。処理システム１６１４は、全体的にバス１６２４で表されている、バスアーキテクチャで実装されてもよい。バス１６２４は、処理システム１６１４の固有の用途と、全体的な設計制約とに応じて、任意の数の相互接続バスおよびブリッジを含んでもよい。バス１６２４は、プロセッサ１６０４で表される、１つまたは複数のプロセッサおよび／またはハードウェアモジュール、モジュール１５０４、１５０８、１５１０、１５１２、１５１４、およびコンピュータ可読媒体／メモリ１６０６を含む、様々な回路を互いに連結する。バス１６２４は、タイミング源、周辺機器、電圧調整器、および電力管理回路などの、様々な他の回路を連結してもよく、これは当該技術においてよく知られており、それゆえに、これ以上は説明されない。
【０１０３】
[00137]処理システム１６１４は、送信機１６１０に結合されてもよい。送信機１６１０は、１つまたは複数のアンテナ１６２０に結合される。送信機１６１０は、送信媒体上で様々な他の装置との通信のための手段を提供する。送信機１６１０は、１つまたは２つ以上のアンテナ１６２０から信号を受信し、受信された信号から情報を抽出し、抽出された情報を処理システム１６１４、特に受信モジュール１５１４に供給する。さらに、送信機１６１０は、処理システム１６１４、特に送信モジュール１５１４から情報を受信し、受信された情報に基づいて、１つまたは複数のアンテナ１６２０に適用される信号を生成する。
【０１０４】
[00138]処理システム１６１４は、コンピュータ可読媒体／メモリ１６０６に結合された、プロセッサ１６０４を含む。プロセッサ１６０４は、コンピュータ可読媒体／メモリ１６０６に記憶されたソフトウェアの実行を含む、全体処理を担当する。プロセッサ１６０４によって実行されるときに、ソフトウェアは、処理システム１６１４に、任意特定の装置に対して事前に記述された、様々な機能を実行させる。コンピュータ可読媒体／メモリ１６０６は、ソフトウェアを実行するときにプロセッサ１６０４によって操作されるデータを記憶するためにも使用され得る。処理システムは、モジュール１５０４、１５０８、１５１０、１５１２および１５１４の内の少なくとも１つをさらに含む。モジュールは、コンピュータ可読媒体／メモリ１６０６内に常駐／記憶されて、プロセッサ１６０４で実行されるソフトウェアモジュール、プロセッサ１６０４に結合された１つまたは複数のハードウェアモジュール、またはそれらの組合せとしてもよい。処理システム１６１４は、ＵＥ６５０の構成要素としてもよく、メモリ６６０および／またはＴＸプロセッサ６６８、ＲＸプロセッサ６５６、およびコントローラ／プロセッサ６５９の少なくとも１つを含んでもよい。
【０１０５】
[00139]一構成において、ワイヤレス通信用の装置１５０２／１５０２’は、ｅＭＢＭＳブロードキャストサービスをサポートする第１のＭＢＳＦＮエリア内のネットワークから、ｅＭＢＭＳ上で関心のあるサービスを受信するための手段と；ネットワークから少なくとも１つのＭＢＳＦＮ閾値を受信するための手段と；ネットワークから少なくとも１つのＭＢＳＦＮ測定値を受信するための手段と；少なくとも１つのＭＢＳＦＮ閾値と少なくとも１つのＭＢＳＦＮ測定値とに基づいて、第１のＭＢＳＦＮエリアからのｅＭＢＭＳブロードキャストの受信から、ユニキャストを介する受信、またはｅＭＢＭＳブロードキャストサービスをサポートする第２のＭＢＳＦＮエリアを介する受信の一方にスイッチするための手段とを含む。
【０１０６】
[00140]前述の手段は、前述の装置１５０２のモジュールの１つまたは複数、および／または前述の手段によって記載された機能を実行するように構成された装置１５０２’の処理システム１６１４であってもよい。上記のように、処理システム１６１４は、ＴＸプロセッサ６６８、ＲＸプロセッサ６５６、およびコントローラ／プロセッサ６５９を含んでもよい。そのようなものとして、一構成において、前述の手段は、前述の手段によって記載された機能を実行するように構成された、ＴＸプロセッサ６６８、ＲＸプロセッサ６５６、およびコントローラ／プロセッサ６５９であってもよい。
【０１０７】
[00141]一態様において、関心のあるサービスの受信の継続性を維持するためのＵＥは、メモリと、メモリに結合された、少なくとも１つのプロセッサとを含む。関心のあるサービスは、ｅＭＢＭＳブロードキャストサービスおよびユニキャストを介して利用可能である。ＵＥの少なくとも１つのプロセッサは、ｅＭＢＭＳブロードキャストサービスをサポートする第１のＭＢＳＦＮエリア内のネットワークからｅＭＢＭＳ上で関心のあるサービスを受信し；ネットワークから少なくとも１つのＭＢＳＦＮ閾値を受信し；ネットワークから少なくとも１つのＭＢＳＦＮ測定値を受信し；少なくとも１つのＢＳＦＮ閾値と少なくとも１つのＭＢＳＦＮ測定値とに基づいて、第１のＭＢＳＦＮエリアからのｅＭＢＭＳブロードキャストの受信から、ユニキャストを介する受信、またはｅＭＢＭＳブロードキャストサービスをサポートする第２のＭＢＳＦＮエリアを介する受信の一方にスイッチングする、ように構成されている。プロセッサは、前述の図１０のコールフロー図および図１４のフローチャートにおける、アルゴリズムのステップを実行するようにさらに構成されてもよい。
【０１０８】
[00142]別の態様においては、関心のあるサービスの受信の継続性を維持するためのＵＥは、コンピュータ可読媒体に記憶されたコンピュータプログラム製品と、少なくとも１つのプロセッサ上で実行可能なコードとを含む。関心のあるサービスは、ｅＭＢＭＳブロードキャストサービスおよびユニキャストを介して利用可能である。少なくとも１つのプロセッサ上で実行されると、ＵＥに記憶されたコードは、少なくとも１つのプロセッサに、ｅＭＢＭＳブロードキャストサービスをサポートする第１のＭＢＳＦＮエリア内のネットワークからｅＭＢＭＳ上で関心のあるサービスを受信させ；ネットワークから少なくとも１つのＭＢＳＦＮ閾値を受信させ；ネットワークから少なくとも１つのＭＢＳＦＮ測定値を受信させ；少なくとも１つのＭＢＳＦＮ閾値と少なくとも１つのＭＢＳＦＮ測定値とに基づいて、第１のＭＢＳＦＮエリアからのｅＭＢＭＳブロードキャストの受信から、ユニキャストを介する受信、またはｅＭＢＭＳブロードキャストサービスをサポートする第２のＭＢＳＦＮエリアを介する受信の一方にスイッチさせる。このコードは、少なくとも１つのプロセッサに、図１０のコールフロー図および図１４のフローチャートにおける、アルゴリズムのステップをさらに実行させてもよい。
【０１０９】
[00143]図１７は、ＵＥにおける関心のあるサービスの受信の継続性を維持する方法のフローチャート１７００であり、ここにおいて、関心のあるサービスは、ｅＭＢＭＳブロードキャストサービスおよびユニキャストを介して利用可能である。この方法は、ｅＭＢＭＳブロードキャストサービスをサポートする第１のＭＢＳＦＮエリア内で、ネットワーク要素、たとえば、基地局またはｅＮＢによって実行され得る。
【０１１０】
[00144]ステップ１７０２において、ｅＮＢは、ＵＥから少なくとも１つのパラメータを受信する。このパラメータは、ＭＢＭＳ関心指示（ＭＩＩ）、計数応答、ＭＢＳＦＮ測定報告、およびユニキャスト測定報告の１つまたは複数であってもよい。一実装形態において、ｅＮＢは、ＵＥにトリガー信号を送り、ＵＥに、１つまたは複数のパラメータを送らせる。この場合には、ｅＮＢは、トリガー信号を送る前に、ＵＥが接続状態にあるかどうかを検出する。別の実装形態において、ｅＮＢは、ＵＥを接続状態に入らせる信号を、ＵＥに送る。ｅＮＢによって送られた信号は、ＵＥに接続状態に入るように指示するＳＩＢ、計数要求、測定報告要求、またはページングメッセージであってもよい。接続状態に入ると、ＵＥは、１つまたは複数のパラメータを送る。
【０１１１】
[00145]ステップ１７０４において、ｅＮＢは、少なくとも１つのパラメータに基づいて、ＵＥが、第１のＭＢＳＦＮエリアからのｅＭＢＭＳブロードキャストの受信から、ユニキャストを介する受信にスイッチすべきかどうかを決定する。たとえば、ＵＥからのパラメータが、ユニキャスト測定報告またはＭＢＳＦＮ測定報告の１つまたは複数であるとき、ｅＮＢは、報告内の測定値を処理して、ＵＥが第１のＭＢＳＦＮエリアの境界にあることを検出してもよい。ＵＥからのパラメータがＭＩＩであるとき、ｅＮＢは、ＭＩＩを処理して、ＵＥがそのサービスに関心があるかどうかを決定してもよい。
【０１１２】
[00146]ステップ１７０６において、ｅＮＢが、ＵＥがユニキャストにスイッチすべきであると決定すると、ｅＮＢは、ユニキャストを介する受信にスイッチするようにＵＥに指示する。そのような指示は、ＲＲＣメッセージ、たとえば、ＲＲＣ  Ｃｏｎｎｅｃｔｉｏｎ  Ｒｅｃｏｎｆｉｇｕｒａｔｉｏｎを介してもよい。ステップ１７０８において、ｅＮＢは、ユニキャストチャネル上で、関心のあるサービスに対応するコンテンツを送信する。
【０１１３】
[00147]図１８は、例示的な装置１８０２において、異なるモジュール／手段／構成要素間のデータフローを示す、概念的データフロー図１８００である。この装置は、ｅＮＢであってもよい。装置は、受信モジュール１８０４、スイッチ決定／指示モジュール１８０６および送信モジュール１８０８を含む。
【０１１４】
[00148]受信モジュール１８０４は、ＵＥから少なくとも１つのパラメータを受信する。スイッチ決定／指示モジュール１８０６は、少なくとも１つのパラメータに基づいて、ＵＥが、第１のＭＢＳＦＮエリアからのｅＭＢＭＳブロードキャストの受信から、ユニキャストを介する受信にスイッチすべきかどうかを決定し、ユニキャストを介する受信にスイッチするように、ＵＥに指示する。送信モジュール１８０８は、スイッチ決定／指示モジュール１８０６からＵＥへ、スイッチ指示を送信する。
【０１１５】
[00149]本装置は、図１１〜図１３および図１７のフローチャートの上述のコールフロー図中のアルゴリズムのステップを実施する追加のモジュールを含み得る。したがって、図１１〜図１３および図１７のフローチャートの上述のコールフロー図中のステップは１つのモジュールによって実施され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１６】
[00150]図１９は、処理システム１９１４を採用する装置１８０２’のためのハードウェア実装形態の一例を示す図１９００である。処理システム１９１４は、バス１９２４によって概略的に表されるバスアーキテクチャを用いて実装され得る。バス１９２４は、処理システム１９１４の特定の適用例および全体的な設計制約に応じて、任意の数の相互接続バスおよびブリッジを含み得る。バス１９２４は、プロセッサ１９０４によって表される１つまたは複数のプロセッサおよび／またはハードウェアモジュールと、モジュール１８０４、１８０６、１８０８と、コンピュータ可読媒体／メモリ１９０６とを含む様々な回路を互いにリンクする。バス１９２４はまた、タイミングソース、周辺機器、電圧調整器、および電力管理回路など、様々な他の回路をリンクし得るが、これらの回路は当技術分野においてよく知られており、したがって、これ以上説明しない。
【０１１７】
[00151]処理システム１９１４はトランシーバ１９１０に結合され得る。トランシーバ１９１０は１つまたは複数のアンテナ１９２０に結合される。トランシーバ１９１０は、伝送媒体を介して様々な他の装置と通信するための手段を与える。トランシーバ１９１０は、１つまたは複数のアンテナ１９２０から信号を受信し、受信された信号から情報を抽出し、抽出された情報を処理システム１９１４、特に受信モジュール１８０４に与える。さらに、トランシーバ１９１０は、処理システム１９１４、特に送信モジュール１８０８から情報を受信し、受信された情報に基づいて、１つまたは複数のアンテナ１９２０に適用されるべき信号を生成する。
【０１１８】
[00152]処理システム１９１４は、コンピュータ可読媒体／メモリ１９０６に結合されたプロセッサ１９０４を含む。プロセッサ１９０４は、コンピュータ可読媒体／メモリ１９０６に記憶されたソフトウェアの実行を含む一般的な処理を担当する。ソフトウェアは、プロセッサ１９０４によって実行されたとき、処理システム１９１４に、特定の装置のための上記で説明した様々な機能を実施させる。コンピュータ可読媒体／メモリ１９０６はまた、ソフトウェアを実行するときにプロセッサ１９０４によって操作されるデータを記憶するために使用され得る。処理システムは、モジュール１８０４、１８０６、１８０８のうちの少なくとも１つをさらに含む。それらのモジュールは、プロセッサ１９０４中で動作するか、コンピュータ可読媒体／メモリ１９０６中に常駐する／記憶されたソフトウェアモジュールであるか、プロセッサ１９０４に結合された１つまたは複数のハードウェアモジュールであるか、またはそれらの何らかの組合せであり得る。処理システム１９１４は、ｅＮＢ６１０の構成要素であり得、メモリ６７６、ならびに／またはＴＸプロセッサ６１６、ＲＸプロセッサ６７０、およびコントローラ／プロセッサ６７５のうちの少なくとも１つを含み得る。
【０１１９】
[00153]一構成において、ワイヤレス通信用の装置１８０２／１８０２’は、ＵＥからの少なくとも１つのパラメータを受信するための手段と、少なくとも１つのパラメータに基づいて、ＵＥが、第１のＭＢＳＦＮエリアからのｅＭＢＭＳブロードキャストの受信から、ユニキャスト介する受信へスイッチすべきかどうかを決定するための手段と、ユニキャストを介する受信にスイッチするようにＵＥに指示するための手段とを含む。
【０１２０】
[00154]上述の手段は、上述の手段によって具陳される機能を実施するように構成された、装置１８０２の上述のモジュールおよび／または装置１８０２’の処理システム１９１４のうちの１つまたは複数であり得る。上記で説明したように、処理システム１９１４は、ＴＸプロセッサ６１６と、ＲＸプロセッサ６７０と、コントローラ／プロセッサ６７５とを含み得る。したがって、一構成では、上述の手段は、上述の手段によって具陳される機能を実施するように構成された、ＴＸプロセッサ６１６と、ＲＸプロセッサ６７０と、コントローラ／プロセッサ６７５とであり得る。
【０１２１】
[00155]一態様において、ＵＥにおいて関心のあるサービスの受信の継続性を維持する装置は、メモリと、メモリに結合された少なくとも１つのプロセッサを含む。関心のあるサービスは、ｅＭＢＭＳブロードキャストサービスおよびユニキャストを介して利用可能であり、装置は、ｅＭＢＭＳブロードキャストサービスをサポートする第１のＭＢＳＦＮエリア内のネットワークの一部である。この装置の少なくとも１つのプロセッサは、ＵＥから少なくとも１つのパラメータを受信し、少なくとも１つのパラメータに基づいて、ＭＢＳＦＮエリアからのｅＭＢＭＳブロードキャストの受信から、ユニキャストを介する受信へとＵＥがスイッチすべきかどうか決定し、ユニキャストを介する受信にスイッチするようにＵＥに指示するように構成されている。プロセッサは、前述の図１１〜１３のコールフロー図、および図１７のフローチャートにおけるアルゴリズムのステップを実行するようにさらに構成されてもよい。
【０１２２】
[00156]別の態様においては、ＵＥにおいて関心のあるサービスの受信の継続性を維持する装置は、コンピュータ可読媒体に記憶されたコンピュータプログラム製品と、少なくとも１つのプロセッサ上で実行可能なコードとを含む。関心のあるサービスは、ｅＭＢＭＳブロードキャストサービスおよびユニキャストを介して利用可能であり、装置は、ｅＭＢＭＳブロードキャストサービスをサポートする第１のＭＢＳＦＮエリア内のネットワークの一部である。少なくとも１つのプロセッサ上で実行されるとき、装置に記憶されたコードは、少なくとも１つのプロセッサに、ＵＥから少なくとも１つのパラメータを受信させ、少なくとも１つのパラメータに基づいて、ＭＢＳＦＮエリアからのｅＭＢＭＳブロードキャストの受信から、ユニキャストを介する受信へとＵＥがスイッチすべきかどうか決定させ、ユニキャストを介する受信にスイッチするようにＵＥに指示させる。このコードは、少なくとも１つのプロセッサに、前述の図１１〜１３のコールフロー図および図１７のフローチャートにおけるアルゴリズムのステップをさらに実行させてもよい。
【０１２３】
[00157]開示されたプロセス／フローチャートにおけるステップの特定の順序または階層は、例示的なアプローチの例証である。設計上の選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１２４】
[00158]以上の説明は、当業者が本明細書で説明した様々な態様を実施することができるように提供される。これらの態様に対する様々な変更は当業者には容易に明らかであり、本明細書で定義した一般原理は他の態様に適用され得る。したがって、特許請求の範囲は、本明細書に示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。本明細書で「例示的」として説明されるいかなる態様も、必ずしも他の態様よりも好適または有利なものと解釈されるべきではない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」ならびに「Ａ、Ｂ、Ｃ、またはそれらの任意の組合せ」などの組合せは、Ａ、Ｂ、および／またはＣのどんな組合せをも含み、複数のＡ、複数のＢ、または複数のＣを含み得る。特に、「Ａ、Ｂ、またはＣのうちの少なくとも１つ」、「Ａ、Ｂ、およびＣのうちの少なくとも１つ」ならびに「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣの１つまたは複数のメンバを含んでいることがある。当業者に知られているかまたは後で知られることになる、本開示全体にわたって説明した様々な態様の要素に対するすべての構造的および機能的均等物は、参照により本明細書に明確に組み込まれ、特許請求の範囲によって包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）において、発展型マルチメディアブロードキャストマルチキャストサービス（ｅＭＢＭＳ）ブロードキャストサービスおよびユニキャスト上で利用可能である、関心のあるサービスの受信の継続性を維持する方法において、
前記ｅＭＢＭＳブロードキャストサービスをサポートする第１のマルチキャストブロードキャスト単一周波数ネットワーク（ＭＢＳＦＮ）エリア内のネットワークからｅＭＢＭＳ上の前記関心のあるサービスを受信することと；
前記ネットワークから少なくとも１つのＭＢＳＦＮ閾値を受信することと；
前記ネットワークから少なくとも１つのＭＢＳＦＮ測定値を受信することと；
前記少なくとも１つのＭＢＳＦＮ閾値と前記少なくとも１つのＭＢＳＦＮ測定値とに基づいて、第１のＭＢＳＦＮエリアからのｅＭＢＭＳブロードキャストの受信から、ユニキャストを介する受信または、ｅＭＢＭＳブロードキャストサービスをサポートする第２のＭＢＳＦＮエリアを介する受信の一方にスイッチすることと
を備える方法。
［Ｃ２］
前記少なくとも１つのＭＢＳＦＮ閾値は、
ＭＢＳＦＮ受信機信号受信電力（ＭＢＳＦＮ  ＲＳＲＰ）閾値、ＭＢＳＦＮ参照信号受信品質（ＭＢＳＦＮ  ＲＳＲＱ）閾値、ＭＢＳＦＮ  信号対干渉プラス雑音比（ＭＢＳＦＮ  ＳＩＮＲ）閾値、およびＭＢＭＳのマルチキャストチャネル（ＭＣＨ）ブロック誤り率（ＭＣＨ  ＢＬＥＲ）閾値の１つまたは複数を備え；
前記少なくとも１つのＭＢＳＦＮ測定値は、ＭＢＳＦＮ  ＲＳＲＰ測定値、ＭＢＳＦＮ  ＲＳＲＱ測定値、ＭＢＳＦＮ  ＳＩＮＲ測定値、およびＭＣＨ  ＢＬＥＲ測定値の１つまたは複数を備える、Ｃ１に記載の方法。
［Ｃ３］
前記少なくとも１つのＭＢＳＦＮ閾値はスイッチング準備閾値を備えるとともに、前記第１のＭＢＳＦＮエリアからの前記ｅＭＢＭＳブロードキャストの受信からスイッチすることは、前記少なくとも１つのＭＢＳＦＮ測定値がスイッチング準備閾値を満たし、前記ＵＥがＲＲＣ  ＩＤＬＥ状態にあるときに、ＲＲＣ  ＣＯＮＮＥＣＴＥＤ状態にスイッチすることを備える、Ｃ１に記載の方法。
［Ｃ４］
前記少なくとも１つのＭＢＳＦＮ閾値はスイッチング開始閾値をさらに備えるとともに、前記第１のＭＢＳＦＮエリアからの前記ｅＭＢＭＳブロードキャストの受信からスイッチすることは、前記少なくとも１つのＭＢＳＦＮ測定値がスイッチング開始閾値を満たすときに、前記ネットワークのネットワーク要素から、ユニキャストチャネル上で前記関心のあるサービスの配信を要求して、それによってユニキャストを介する受信にスイッチすることをさらに備える、Ｃ３に記載の方法。
［Ｃ５］
前記ネットワーク要素はアプリケーションサーバを備えるとともに、要求することは、前記アプリケーションサーバに指示を送ることを備える、Ｃ４に記載の方法。
［Ｃ６］
前記ネットワーク要素はＢＭ−ＳＣを備えるとともに、要求することは、前記関心のあるサービスに対応する一時的モバイルグループ識別（ＴＭＧＩ）のＵＲＬに接続することを備える、Ｃ４に記載の方法。
［Ｃ７］
前記ネットワーク要素はＭＢＭＳ−ＧＷを備えるとともに、要求することは、ＩＰマルチキャスト加入メッセージをＭＢＭＳ−ＧＷに送ることを備える、Ｃ４に記載の方法。
［Ｃ８］
前記ＵＥがこの目的のための適当なＥＰＳベアラを有さない場合には、前記ｅＭＢＭＳブロードキャストサービスの送信のための専用ＥＰＳベアラを起動することをさらに備える、Ｃ７に記載の方法。
［Ｃ９］
前記ネットワークから、ＭＢＭＳ−ＧＷマルチキャストアドレスと、ＴＭＧＩの、関係する、汎用パケット無線サービス（ＧＰＲＳ）トンネリングプロトコル（ＧＴＰ）パラメータを受信することをさらに備える、Ｃ７に記載の方法。
［Ｃ１０］
前記第１のＭＢＳＦＮエリアからの前記ｅＭＢＭＳブロードキャストの受信からスイッチすることは、
前記ｅＭＢＭＳブロードキャストサービスをサポートする前記第２のＭＦＳＦＮエリア内のネットワークから、前記ＵＥにおける十分なｅＭＢＭＳカバレージを検出することと；
ユニキャストから、前記ｅＭＢＭＳブロードキャストサービスをサポートする前記第２のＭＢＳＦＮエリアを介するブロードキャスト受信へスイッチすることと
をさらに備える、Ｃ４に記載の方法。
［Ｃ１１］
前記第１のＭＢＳＦＮエリアからの前記ｅＭＢＭＳブロードキャストの受信からスイッチすることは、
第１のＭＢＳＦＮエリア内のサービングｅＮＢへ、前記関心のあるサービスに対応するＴＭＧＩを含むＭＢＭＳ関心指示（ＭＩＩ）と、前記関心のあるサービスに対応するサービスエリア識別子（ＳＡＩ）リストの少なくとも一方を送ること
ここにおいて、前記ＵＥは、前記ＭＩＩと前記ＳＡＩリストの少なくとも一方に基づいて、前記ｅＭＢＭＳブロードキャストサービスをサポートするセルにハンドオーバされる、
をさらに備える、Ｃ３に記載の方法。
［Ｃ１２］
発展型マルチメディアブロードキャストマルチキャストサービス（ｅＭＢＭＳ）ブロードキャストサービスおよびユニキャスト上で利用可能である、関心のあるサービスの受信の継続性を維持するためのユーザ機器（ＵＥ）において、前記方法は、
前記ｅＭＢＭＳブロードキャストサービスをサポートする第１のマルチキャストブロードキャスト単一周波数ネットワーク（ＭＢＳＦＮ）エリア内のネットワークからｅＭＢＭＳ上の前記関心のあるサービスを受信するための手段と；
前記ネットワークから少なくとも１つのＭＢＳＦＮ閾値を受信するための手段と；
前記ネットワークから少なくとも１つのＭＢＳＦＮ測定値を受信するための手段と；
前記少なくとも１つのＭＢＳＦＮ閾値と前記少なくとも１つのＭＢＳＦＮ測定値とに基づいて、前記第１のＭＢＳＦＮエリアからの前記ｅＭＢＭＳブロードキャストの受信から、ユニキャストを介する受信または、前記ｅＭＢＭＳブロードキャストサービスをサポートする第２のＭＢＳＦＮエリアを介する受信の一方にスイッチするための手段と
を備えるＵＥ。
［Ｃ１３］
前記少なくとも１つのＭＢＳＦＮ閾値は、
ＭＢＳＦＮ受信機信号受信電力（ＭＢＳＦＮ  ＲＳＲＰ）閾値、ＭＢＳＦＮ参照信号受信品質（ＭＢＳＦＮ  ＲＳＲＱ）閾値、ＭＢＳＦＮ  信号対干渉プラス雑音比（ＭＢＳＦＮ  ＳＩＮＲ）閾値、およびＭＢＭＳのマルチキャストチャネル（ＭＣＨ）ブロック誤り率（ＭＣＨ  ＢＬＥＲ）閾値の１つまたは複数を備え；
前記少なくとも１つのＭＢＳＦＮ測定値は、ＭＢＳＦＮ  ＲＳＲＰ測定値、ＭＢＳＦＮ  ＲＳＲＱ測定値、ＭＢＳＦＮ  ＳＩＮＲ測定値、およびＭＣＨ  ＢＬＥＲ測定値の１つまたは複数を備える、Ｃ１２に記載のＵＥ。
［Ｃ１４］
前記少なくとも１つのＭＢＳＦＮ閾値はスイッチング準備閾値を備えるとともに、前記第１のＭＢＳＦＮエリアからの前記ｅＭＢＭＳブロードキャストの受信からスイッチするための手段は、前記少なくとも１つのＭＢＳＦＮ測定値がスイッチング準備閾値を満たし、前記ＵＥがＲＲＣ  ＩＤＬＥ状態にあるときに、ＵＥにＲＲＣ  ＣＯＮＮＥＣＴＥＤ状態にスイッチするように構成されている、Ｃ１２に記載のＵＥ。
［Ｃ１５］
前記少なくとも１つのＭＢＳＦＮ閾値は、スイッチング開始閾値をさらに備え、前記第１のＭＢＳＦＮエリアからの前記ｅＭＢＭＳブロードキャストの受信からスイッチするための手段は、前記少なくとも１つのＭＢＳＦＮ測定値がスイッチング開始閾値を満たすときに、前記ネットワークのネットワーク要素から、ユニキャストチャネル上で前記関心のあるサービスの配信を要求して、それによってユニキャストを介する受信にスイッチするように構成されている、Ｃ１４に記載のＵＥ。
［Ｃ１６］
前記第１のＭＢＳＦＮエリアからの前記ｅＭＢＭＳブロードキャストの受信からスイッチするための手段は、
前記ｅＭＢＭＳブロードキャストサービスをサポートする前記第２のＭＦＳＦＮエリア内のネットワークから、前記ＵＥにおける十分なｅＭＢＭＳカバレージを検出し；
ユニキャストから、前記ｅＭＢＭＳブロードキャストサービスをサポートする前記第２のＭＢＳＦＮエリアを介するブロードキャスト受信へスイッチする
ようにさらに構成されている、Ｃ１４に記載のＵＥ。
［Ｃ１７］
前記第１のＭＢＳＦＮエリアからの前記ｅＭＢＭＳブロードキャストの受信からスイッチするための手段は、
第１のＭＢＳＦＮエリア内のサービングｅＮＢへ、前記関心のあるサービスに対応するＴＭＧＩを含むＭＢＭＳ関心指示（ＭＩＩ）と、前記関心のあるサービスに対応するサービスエリア識別子（ＳＡＩ）リストの少なくとも一方を送る
ここにおいて、前記ＵＥは、前記ＭＩＩと前記ＳＡＩリストの少なくとも一方に基づいて、前記ｅＭＢＭＳブロードキャストサービスをサポートするセルにハンドオーバされる、
ようにさらに構成されている、Ｃ１４に記載のＵＥ。
［Ｃ１８］
ユーザ機器（ＵＥ）において、発展型マルチメディアブロードキャストマルチキャストサービス（ｅＭＢＭＳ）ブロードキャストサービスおよびユニキャスト上で利用可能である、関心のあるサービスの受信の継続性を維持する方法において、
前記ｅＭＢＭＳブロードキャストサービスをサポートする第１のマルチキャストブロードキャスト単一周波数ネットワーク（ＭＢＳＦＮ）エリア内のネットワークの第１の基地局におけるＵＥから、少なくとも１つのパラメータを受信することと；
前記少なくとも１つのパラメータに基づいて、前記ＵＥが、前記第１のＭＢＳＦＮエリアからのｅＭＢＭＳブロードキャストの受信から、ユニキャストを介する受信へとスイッチすべきかどうかを決定することと；
ユニキャストを介する受信へとスイッチするように前記ＵＥに指示することと
を備える方法。
［Ｃ１９］
ユニキャストチャネル上で、前記関心のあるサービスに対応するコンテンツを送信することをさらに備える、Ｃ１８に記載の方法。
［Ｃ２０］
前記少なくとも１つのパラメータが、ＭＢＭＳ関心指示（ＭＩＩ）、計数応答、ＭＢＳＦＮ測定報告、およびユニキャスト測定報告の１つまたは複数を備える、Ｃ１８に記載の方法。
［Ｃ２１］
前記少なくとも１つのパラメータを送らせるように、前記ＵＥをトリガーする信号を送ることをさらに備える、Ｃ１８に記載の方法。
［Ｃ２２］
前記信号を送る前に、前記ＵＥが接続状態にあることを検出することをさらに備える、Ｃ２１に記載の方法。
［Ｃ２３］
前記ＵＥがスイッチすべきかどうかを決定することは、ＵＥが前記第１のＭＢＳＦＮエリアの前記境界にあるかどうかを検出することを備える、Ｃ１８に記載の方法。
［Ｃ２４］
前記少なくとも１つのパラメータを受信する前に、前記接続状態に入るように前記ＵＥをトリガーすることをさらに備える、Ｃ１８に記載の方法。
［Ｃ２５］
前記接続状態に入るように前記ＵＥをトリガーすることは、前記ＵＥに対して接続状態に入るように指示するシステム情報ブロック（ＳＩＢ）を送ること、前記ＵＥに対して係数要求を送ること、前記ＵＥ対して測定報告要求を送ること、前記ＵＥに対してページングメッセージを送ることの内の１つまたは複数を備える、Ｃ２４に記載の方法。
［Ｃ２６］
ユーザ機器（ＵＥ）において、発展型マルチメディアブロードキャストマルチキャストサービス（ｅＭＢＭＳ）ブロードキャストサービスおよびユニキャスト上で利用可能である、関心のあるサービスの受信の継続性を維持するための装置において、前記ｅＭＢＭＳブロードキャストサービスをサポートする第１のマルチキャストブロードキャスト単一周波数ネットワーク（ＭＢＳＦＮ）エリア内のネットワークの一部である装置であって、
前記ＵＥからの少なくとも１つのパラメータを受信するための手段と；
前記少なくとも１つのパラメータに基づいて、前記ＵＥが、前記第１のＭＢＳＦＮエリアからの前記ｅＭＢＭＳブロードキャストの受信から、ユニキャスト介する受信へスイッチすべきかどうかを決定するための手段と、
ユニキャストを介する受信にスイッチするようにＵＥに指示するための手段とを
を備える装置。
［Ｃ２７］
前記決定するための手段が、前記少なくとも１つのパラメータを送るように前記ＵＥをトリガーするための、信号を送るように構成されている、Ｃ２６に記載の装置。
［Ｃ２８］
前記決定するための手段が、前記信号を送る前に、前記ＵＥが接続状態にあることを検出するようにさらに構成されている、Ｃ２７に記載の装置。
［Ｃ２９］
前記決定するための手段が、前記ＵＥが前記第１のＭＢＳＦＮエリアの境界にあるかどうかを検出するように構成されている、Ｃ２６に記載の装置。
［Ｃ３０］
前記決定するための手段が、前記接続状態に入るように前記ＵＥをトリガーするように構成されている、Ｃ２６に記載の装置。
【図１】
0006456941.tif 000002
【図２】
0006456941.tif 000003
【図３】
0006456941.tif 000004
【図４】
0006456941.tif 000005
【図５】
0006456941.tif 000006
【図６】
0006456941.tif 000007
【図７Ａ】
0006456941.tif 000008
【図７Ｂ】
0006456941.tif 000009
【図８】
0006456941.tif 000010
【図９Ａ】
0006456941.tif 000011
【図９Ｂ】
0006456941.tif 000012
【図１０】
0006456941.tif 000013
【図１１】
0006456941.tif 000014
【図１２】
0006456941.tif 000015
【図１３】
0006456941.tif 000016
【図１４】
0006456941.tif 000017
【図１５】
0006456941.tif 000018
【図１６】
0006456941.tif 000019
【図１７】
0006456941.tif 000020
【図１８】
0006456941.tif 000021
【図１９】
0006456941.tif 000022